(57)【要約】  壁面を装飾するシステム及びキットは、複数の装飾アセンブリと、複数の相補的固定構造と、を備える。装飾アセンブリは、装飾要素と、第１固定要素を提供する取外可能固定構造と、を備える。相補的固定構造は、ベースと、ベースに設けられた感圧接着剤と、第２固定要素と、を備える。取外可能固定システムを形成するように、第１固定要素は第２固定要素に取外し可能に接合可能である。使用中、相補的固定構造は、壁面に対して取外し可能に貼り付けられ、取外可能固定システムを介して装飾アセンブリの１つを接続し支持する。取外可能固定システムは、比較的保持力の低い低背フック及びループを備えることができる。【選択図】  図９
2016527922.tif 000002
【特許請求の範囲】
【請求項１】
壁面を装飾するシステムであって、
複数の第１固定要素を提供する取外可能固定構造とは反対側の装飾要素を有する装飾アセンブリと、
複数の第２固定要素とは反対側の感圧接着剤を有する相補的固定構造と、を備え、
取外可能固定システムを形成するように、前記第１固定要素は前記第２固定要素に取外し可能に接合可能であり、
更に前記システムは、壁面に対する前記感圧接着剤による割裂強度が前記取外可能固定システムによる割裂強度よりも大きく、前記取外可能固定システムの全方向の動的剪断強度が少なくとも１０ｌｂｓであるように構成される、システム。
【請求項２】
前記取外可能固定システムの全方向の動的剪断強度は少なくとも１５ｌｂｓである、請求項１に記載のシステム。
【請求項３】
前記取外可能固定システムの全方向の動的剪断強度は少なくとも２５ｌｂｓである、請求項１に記載のシステム。
【請求項４】
前記取外可能固定システムの割裂強度は、６ｌｂｓ／インチ幅以下であり、
前記取外可能固定システムの引張強度は、６．５ｌｂｓ／インチ２以下であり、
前記相補的固定構造の１８０度剥離強度は、少なくとも１０ｏｚ／インチであり、
前記相補的固定構造の９０度剥離強度は、少なくとも１２ｏｚ／インチであり、
前記相補的固定構造の剥離離脱強度は、３０ｏｚ／インチ以下であり、
前記相補的固定構造の静的剪断強度は、少なくとも２０，０００分である、請求項１に記載のシステム。
【請求項５】
前記装飾アセンブリは、
前記装飾要素を保持する裏装体と、
前記取外可能固定構造を保持するベースと、を更に備え、
前記裏装体は前記ベースに取外し可能に取り付けられている、請求項１に記載のシステム。
【請求項６】
前記裏装体及び前記ベースのうちの一方が少なくとも１つの脚部を形成しており、前記裏装体及び前記ベースのうちの他方が前記脚部を受け入れるように構成される少なくとも１つの穴を形成している、請求項５に記載のシステム。
【請求項７】
前記装飾アセンブリは、前記裏装体を前記ベースに対して取外し可能に接続する取外可能接続アセンブリを更に備え、更に前記取外可能接続アセンブリの割裂強度は、前記取外可能固定システムの割裂強度よりも小さく、前記取外可能接続アセンブリの引張強度は、前記取外可能固定システムの引張強度よりも小さい、請求項５に記載のシステム。
【請求項８】
前記取外可能接続アセンブリは、磁石を含む、請求項７に記載のシステム。
【請求項９】
前記裏装体及び前記ベースのうちの一方が少なくとも１つの脚部を形成しており、前記裏装体及び前記ベースのうちの他方が、前記脚部を受け入れるように構成される少なくとも１つの穴を形成しており、更に前記取外可能接続アセンブリは前記脚部を前記穴内へ磁力吸着するように構成される、請求項８に記載のシステム。
【請求項１０】
前記取外可能接続アセンブリは、前記脚部に関連付けられた第１磁石と、前記穴に関連付けられた相補的な第２磁石とを有する、請求項９に記載のシステム。
【請求項１１】
前記裏装体の設置面積は、前記ベースの設置面積よりも小さい、請求項５に記載のシステム。
【請求項１２】
前記裏装体の前記設置面積は、前記装飾要素の設置面積よりも小さい、請求項１１に記載のシステム。
【請求項１３】
前記ベースは、前側と、後側と、前記前側に対する窪みとして形成される中央取付領域とを形成し、更に前記中央取付領域は、前記裏装体の外側フレームを受け入れるように構成される、請求項１１に記載のシステム。
【請求項１４】
前記装飾アセンブリは、前記ベースに対して取外し可能に取り付けられるように構成されるスペーサアセンブリを更に有する、請求項５に記載のシステム。
【請求項１５】
前記スペーサアセンブリは更に、前記裏装体に対して取外し可能に取り付けられるように構成される、請求項１４に記載のシステム。
【請求項１６】
前記スペーサアセンブリは更に、前記裏装体と前記ベースの間に取外し可能に取り付けられるように構成される、請求項１５に記載のシステム。
【請求項１７】
前記スペーサアセンブリは、スペーサと、前記スペーサの後面に位置し、複数の前記第１固定要素を提供する取外可能固定構造とを備える、請求項１４に記載のシステム。
【請求項１８】
前記システムは、前記スペーサアセンブリと前記裏装体の間の割裂強度が前記取外可能固定システムによる前記割裂強度よりも小さくなるように構成される、請求項１４に記載のシステム。
【請求項１９】
前記装飾要素は、前記裏装体に対して離脱可能に接続されている、請求項５に記載のシステム。
【請求項２０】
前記第１固定要素及び前記第２固定要素のうちの一方は、裏装板から突出する茎部と、前記茎部のうち前記裏装板とは反対側の端にある円形ヘッドとを有するマッシュルーム形状である、請求項１に記載のシステム。
【請求項２１】
前記装飾要素は、写真を選択的に受け入れるためのポケットを形成するように組み合わさる、裏装板及びカバーを備える、請求項１に記載のシステム。
【発明の詳細な説明】
【技術分野】
【０００１】
（関連出願の相互参照）
本米国本出願は、この参照によって本明細書に組み込まれる、２０１３年６月３日に出願された米国仮特許出願第６１／８３０，３６７号、発明の名称「取外し可能壁装飾キット、システム、及び方法」と、２０１４年３月６日に出願された米国仮特許出願第６１／９４８，９４６号、発明の名称「取外し可能壁装飾キット、システム、及び方法」と、２０１４年５月２日に出願された米国仮特許出願第６１／９８８，０２０号、発明の名称「取外し可能壁装飾キット、システム、及び方法」の出願日の利益を主張する。
【背景技術】
【０００２】
本開示は壁装飾に関する。より具体的には、壁に複数の装飾要素を柔軟に取り付けるためのキット、システム、及び方法に関する。
【０００３】
従来から、壁装飾には非常に多様な形態がある。例えば、住宅の壁は、部分的又は全体的に塗装されるか、壁紙が貼られて仕上げられ得る。このような壁仕上げ技術の種類、スタイル、最終的な外観はほぼ無限に挙げられそうなものであるが、壁面準備及び特定の仕上げの適用には非常に長い時間とともに高度な仕上げ技術が求められる。更に、仕上がりは実質的に永続的であって、除去や取換えには多大な労力を要するものである。
【０００４】
一方（又は更に）、芸術作品、写真、鏡、成型品等の多様な装飾品を直接壁に留めることが可能である。通常それらは、壁に固定された一つ以上の機械的固定部材（例えば釘、ねじ、又はフック）で支持される。塗装や壁紙を貼ることよりも、装飾品を設置するほうが短時間で済むが、機械的固定部材を確実に壁面に理想的に配置するには時間と技術を要する。機械的固定部材は壁に消えない跡を残してしまい、容易に再配置できない。
【０００５】
近年、機械的固定部材に代わる接着剤型固定システムが開発された。通常、そのような固定システムは、一対のカット済みの後面接着細長片としてパッケージ化され、提供される。第１細長片は複数のフック（又はそれに類似する構造）を持ち、第２細長片は複数の相補的なループを持つ。ユーザは必ず２つの細長片のうち、第１細長片を装飾品に貼り付け、第２細長片を壁に貼り付ける。装飾品はフック及びループ間の係合により、壁に対して支持される。フック及びループの分離からの再接続、又は装飾品／第１細長片を（フック及びループを離さずに）壁／第２細長片に対して若干回転させることで、壁／第２細長片に対する装飾品／第１細長片の関係を若干相対的に変化可能である。更に、装飾品を完全に壁から取り外すことが望まれる場合、細長片をそれぞれ装飾品及び壁面から剥がすことができる。このような接着剤型固定システムの製造者は、ユーザが求め得る幅広い種類（即ち多様な大きさと重量）の装飾品を支持可能とした上での最終製品のコスト最小化に腐心している。通常これらは、比較的小さく（したがって安価の）、且つ比較的強い接着力と保持力を持つ細長片組を形成することにより両立可能となる。しかし、このような細長片は表面積が比較的小さいため、いくつかの欠点を生じ得るのである。
【０００６】
例えば、装飾品の重量により、細長片がそれぞれ対応する装飾品又は壁面から剥離しないよう、接着性の高い接着剤を細長片に使用する必要がある。この要件を考慮すると、求められる接着性は、非常に強いものとなる。原則的に、接着剤は細長片を壁（又は物品）から、壁面を傷つけることなく必要に応じて取外しやすいよう調整されるものだが、特定の壁面は強い接着剤を剥がす際に傷ついてしまうような比較的特殊な仕上げがなされている場合がある。
【０００７】
また、パッケージ化された面ファスナー接着細長片組に用いられる着脱可能取付技術は、ユーザが比較的重い（及び／又は大きい）物体を掛けることを想定して設計されるべきである。したがって、従来面ファスナー形式は可能な限り高い保持力を持つよう選択される。この点において、ある形式による保持力は、細長片そのものの大きさに直接依存する。パッケージ化された細長片組は、通常特定の比較的小さいサイズで提供される（例えば、第１細長片（フック）は１インチ×３インチで、第２細長片（ループ）は１．７５インチ×４インチ）。既存の面ファスナー技術は、比較的表面積の小さい細長片で高い係合力を誇るが、接着剤の保持力とのバランスが課題となっている。ユーザは、最初の取付け後に、壁に対して物品が再配置可能であることを望むため、ユーザが簡単に壁／第２細長片から装飾品／第１細長片を外すことを可能としなければならない。面ファスナーシステムが接着剤よりも高い保持力を持つのであれば、ユーザは装飾品に引張力を掛けて壁から外そうとして、細長片の片方（又は両方）の接着剤を対応する装飾品又は壁面から剥がしてしまうかもしれない。更に、取外可能固定システムの保持力を上げると、特定のユーザ（例えば子供）には分離困難となり得る。
【０００８】
パッケージ化された接着剤型固定システムは広く普及し、非常に簡略化された（より便利になった）が、装飾品を壁に取り付ける際の課題は未だに残っている。細長片のサイズ（更にそれに伴う性能属性）は確実にユーザを制限する。固定細長片を使用した取付けが上手くいくのは限られた種類の物体及び壁面のみである。更に、固定システムは原則的に物品を壁面に取り付けることのみを目的に設計されているが、このような限定は物品と壁面との間に空間又は奥行きを作りたいというようなユーザの独創性に構造的に相反するものである。
【発明の概要】
【発明が解決しようとする課題】
【０００９】
上記のことから、装飾品のより速やかな取付け、再配置、取外しを実現する、改良された壁装飾システム及び方法が求められている。
【課題を解決するための手段】
【００１０】
本開示の一部の態様は、壁面を装飾するシステムに関する。システムは、装飾アセンブリと、相補的固定構造と、を備える。装飾アセンブリは、取外可能固定構造とは反対側の装飾要素を備える。取外可能固定構造は、複数の第１固定要素を提供する。相補的固定構造は、装飾アセンブリから分離して配置され、複数の第２固定要素とは反対側の感圧接着剤を有する。取外可能固定システムを形成するように、第１固定要素は第２固定要素に取外し可能に接合可能である。更にシステムは、感圧接着剤による壁面に対する割裂強度が取外可能固定システムによる割裂強度よりも大きく、取外可能固定システムの全方向の動的剪断強度が少なくとも１０ｌｂｓであるように構成される。取外可能固定システムは、比較的保持力の低い低背フック及びループを含むことができる。一部の実施形態では、システムは更に、装飾アセンブリと相補的固定構造との間に配置され、装飾アセンブリと壁面の間に奥行きを形成する少なくとも１つのスペーサアセンブリを含む。関連する実施形態では、装飾アセンブリは、装飾要素を保持する裏装体と、取外可能固定構造を保持するベースと、を備え、スペーサアセンブリは裏装体及びベースのうちの一方又は両方に取外し可能に取り付けられるように構成される。
【００１１】
本開示のキット及びシステムは、壁の迅速で簡単な装飾及び再装飾を実現する。取外可能固定システムによって実現される柔軟な装飾取付技術によって、ユーザは壁面に沿って（様々な外観を有する）多様な装飾アセンブリを簡単に配置及び再配置可能になる。更に、任意のスペーサアセンブリによって、ユーザは取り付けられた装飾要素と壁面の間に奥行きを形成し、三次元的効果を醸成することができる。
【図面の簡単な説明】
【００１２】
【図１】本開示の原則に従う壁装飾システム又はキットの簡略的斜視図である。
【図２Ａ】図１のシステムに有用な、本開示の原則に従う装飾アセンブリの分解斜視図である。
【図２Ｂ】図２Ａに示す装飾アセンブリの断面図である。
【図３Ａ】図１のシステムに有用な２つの装飾アセンブリの正面図である。
【図３Ｂ】図１のシステムに有用な２つの装飾アセンブリの正面図である。
【図４】図１のキットに有用な、本開示の原則に従う装飾アセンブリの背面図である。
【図５】本開示の原則に従う別の装飾アセンブリの一部の分解斜視図である。
【図６Ａ】図５の装飾アセンブリの裏装板構成要素の上面図である。
【図６Ｂ】図６Ａの裏装板の側面図である。
【図６Ｃ】図６Ａの裏装板の一部の断面図である。
【図７Ａ】図５の装飾アセンブリのベース構成要素の背面斜視図である。
【図７Ｂ】図７Ａのベースの背面図である。
【図７Ｃ】線７Ｃ−７Ｃに沿った図７Ｂのベースの断面図である。
【図８Ａ】図５の装飾アセンブリの構造を示す側面図である。
【図８Ｂ】図５の完成した装飾アセンブリの側面図である。
【図８Ｃ】線８Ｃ−８Ｃに沿った図８Ｂの装飾アセンブリの一部の拡大断面図である。
【図８Ｄ】図５と同様の別の装飾アセンブリの一部の拡大断面図である。
【図９】本開示の原則に従う別の装飾アセンブリの一部の分解斜視図である。
【図１０Ａ】図９の装飾アセンブリの裏装板構成要素の前面図である。
【図１０Ｂ】図１０Ａの裏装板の背面図である。
【図１０Ｃ】線１０Ｃ−１０Ｃに沿った図１０Ａの裏装板の断面図である。
【図１０Ｄ】線１０Ｄ−１０Ｄに沿った図１０Ａの裏装板の断面図である。
【図１１Ａ】図９の装飾アセンブリのベース構成要素の前面図である。
【図１１Ｂ】図１１Ａのベースの背面図である。
【図１１Ｃ】線１１Ｃ−１１Ｃに沿った図１１Ａのベースの断面図である。
【図１２Ａ】図１０Ａに示す裏装板の図１１Ａに示すベースに対する取付けを示す図である。
【図１２Ｂ】図１０Ａに示す裏装板の図１１Ａに示すベースに対する取付けを示す図である。
【図１２Ｃ】図１０Ａに示す裏装板の図１１Ａに示すベースに対する取付けを示す図である。
【図１３】図９の装飾アセンブリの一部の前面図であり、ベースに対する裏装板の自己整合を示す。
【図１４】壁面に取り付けられた図９の装飾アセンブリの断面図である。
【図１５Ａ】本開示の原則に従う別の装飾アセンブリの前面分解斜視図である。
【図１５Ｂ】図１５Ａの装飾アセンブリの背面分解斜視図である。
【図１６Ａ】最終的に組み立てられた図１５Ａの装飾アセンブリの斜視断面図である。
【図１６Ｂ】壁面に取り付けられた図１５Ａの装飾アセンブリの断面図である。
【図１７Ａ】本開示の原則に従う別の装飾アセンブリの分解斜視図である。
【図１７Ｂ】壁面に取り付けられた図１７Ａの装飾アセンブリの断面図である。
【図１８】本開示の原則に従う別の装飾アセンブリの分解斜視図である。
【図１９Ａ】最終的に組み立てられた図１８の装飾アセンブリを示す断面図である。
【図１９Ｂ】最終的に組み立てられた図１８の装飾アセンブリを示す断面図である。
【図２０】本開示の装飾アセンブリに有用な装飾要素の背面分解斜視図である。
【図２１】図２０の装飾要素の裏装板の背面図である。
【図２２】図２０の装飾要素のカバーの背面図である。
【図２３】最終的に組み立てられた図２０の装飾要素を示す背面図である。
【図２４Ａ】図１のキットに有用なスペーサアセンブリの概略平面図である。
【図２４Ｂ】装飾アセンブリの壁面への取付けにおいて、図２４Ａのスペーサアセンブリを使用する様子を示す断面図である。
【図２５Ａ】本開示の原則に従う別の装飾アセンブリの前面分解斜視図である。
【図２５Ｂ】図２５Ａの装飾アセンブリの背面分解斜視図である。
【図２６】図２５Ａの装飾アセンブリに有用なスペーサ下位アセンブリの断面図である。
【図２７Ａ】壁面に取り付けられた図２５Ａの装飾アセンブリの異なる配置の断面図である。
【図２７Ｂ】壁面に取り付けられた図２５Ａの装飾アセンブリの異なる配置の断面図である。
【図２７Ｃ】壁面に取り付けられた図２５Ａの装飾アセンブリの異なる配置の断面図である。
【図２８Ａ】本開示の原則に従う別の装飾アセンブリの前面分解斜視図である。
【図２８Ｂ】図２８Ａの装飾アセンブリの背面分解斜視図である。
【図２９】本開示の壁装飾キット及びシステムに有用な固定要素を含む固定構造の一部の拡大断面図である。
【図３０】本開示の壁装飾キット及びシステムに有用な、図２９の固定要素と取外し可能に接合可能な固定要素を含む別の固定構造の一部の拡大断面図である。
【図３１】図１のキットに有用な相補的固定構造の概略端面図である。
【図３２Ａ】本開示の原則に従う相補的固定構造を使用した、図１に示す装飾アセンブリの壁面への設置を示す。
【図３２Ｂ】本開示の原則に従う相補的固定構造を使用した、図１に示す装飾アセンブリの壁面への設置を示す。
【図３２Ｃ】本開示の原則に従う相補的固定構造を使用した、図１に示す装飾アセンブリの壁面への設置を示す。
【図３２Ｄ】本開示の原則に従う相補的固定構造を使用した、図１に示す装飾アセンブリの壁面への設置を示す。
【図３２Ｅ】本開示の原則に従う相補的固定構造を使用した、図１に示す装飾アセンブリの壁面への設置を示す。
【図３２Ｆ】本開示の原則に従う相補的固定構造を使用した、図１に示す装飾アセンブリの壁面への設置を示す。
【図３３Ａ】図５の装飾アセンブリの設置を示す。
【図３３Ｂ】図５の装飾アセンブリの設置を示す。
【図３３Ｃ】図５の装飾アセンブリの設置を示す。
【図３３Ｄ】図５の装飾アセンブリの設置を示す。
【図３４Ａ】割裂強度試験に使用された試験板構成の側面図である。
【図３４Ｂ】図３４Ａの試験板構成の端面図である。
【図３５】本開示に有用な整合クリップ部の斜視図である。
【図３６Ａ】図３５の整合クリップ部を使用している状態を示す。
【図３６Ｂ】図３５の整合クリップ部を使用している状態を示す。
【図３６Ｃ】図３５の整合クリップ部を使用している状態を示す。
【図３７Ａ】本開示の原則に従う別の装飾アセンブリの前面分解斜視図である。
【図３７Ｂ】図３７Ａの装飾アセンブリの背面分解斜視図である。
【図３８Ａ】充電ドックと組み合わせた図３７Ａの装飾アセンブリの装飾設備構成要素を示す概略側面図である。
【図３８Ｂ】充電ドックと組み合わせた図３７Ａの装飾アセンブリの装飾設備構成要素を示す概略側面図である。
【図３９Ａ】本開示の原則に従う、図３７Ａの装飾アセンブリの装飾設備構成要素を含むテーブルライトシステムを示す。
【図３９Ｂ】本開示の原則に従う、図３７Ａの装飾アセンブリの装飾設備構成要素を含むテーブルライトシステムを示す。
【図３９Ｃ】本開示の原則に従う、図３７Ａの装飾アセンブリの装飾設備構成要素を含むテーブルライトシステムを示す。
【図４０Ａ】本開示の原則に従う、図３７Ａの装飾アセンブリの装飾設備構成要素を含むフロアライトシステムを示す。
【図４０Ｂ】本開示の原則に従う、図３７Ａの装飾アセンブリの装飾設備構成要素を含むフロアライトシステムを示す。
【図４０Ｃ】本開示の原則に従う、図３７Ａの装飾アセンブリの装飾設備構成要素を含むフロアライトシステムを示す。
【図４１】本開示のアセンブリ及びシステムで装飾した部屋の一部の概略斜視図である。
【発明を実施するための形態】
【００１３】
本開示の態様は、任意でキット形式で提供可能な壁装飾システムと、当該システム及びキットを使用した方法に関する。図１に示す、壁を装飾するためのキット３０の一実施形態は、複数の装飾アセンブリ３２を備える（図１にはそのうちの１つの後面を示す）。各装飾アセンブリ３２は、２部構造取外可能固定システム３４（概略的に示す）の第１構成要素を担持し、キット３０は更に、それぞれ取外可能固定システム３４の第２構成要素を担持する複数の相補的固定構造３６を備える。構成要素３２〜３８を保持するパッケージ（不図示）と任意の使用説明書（不図示）とともに、１つ以上のスペーサアセンブリ３８が任意でキット３０に含まれる。本開示のシステムは、少なくとも１つの装飾アセンブリ３２と、少なくとも１つの相補的固定構造３６と、更に任意で１つ以上のスペーサアセンブリ３８を含むものと捉えることができる。様々な構成要素の詳細を以下に記載する。ただし、装飾アセンブリ３２は通常、パッケージ内で相補的固定構造３６とは離れて配置される。壁（不図示）を装飾しようとするユーザは、１つ（又は複数）の相補的固定構造３６を壁面に貼り、貼り付けられた相補的固定構造３６に所望の装飾アセンブリ３２の１つを取外し可能に固定する。スペーサアセンブリ３８のうち選択したものは、適宜装飾アセンブリ３２と相補的固定構造３６との間に任意で配置され、更に／或いは後述のように装飾アセンブリ３２の構造に含まれる（例えば、一部の実施形態では、スペーサアセンブリ３８を装飾アセンブリ３２の構成要素又は下位構成要素として捉えることができる）。いずれの場合でも、取外可能固定システム３４は装飾アセンブリ３２と壁面との簡易、柔軟、又は再配置可能な取付けをしやすくし、更に装飾アセンブリ３２を異なる外観を持つ別の装飾アセンブリ３２とより交換しやすくするものである。
【００１４】
装飾アセンブリ３２
図２Ａ及び図２Ｂに示すように、装飾アセンブリ３２は、多様な形態をとり得、一部の実施形態では概して装飾要素５０と、パネル又はパネルアセンブリ５２（概略的に図示する）と、取外可能固定構造５４とを備える。装飾要素５０と、取外可能固定構造５４とがパネル５２に取り付けられている。取外可能固定構造５４は、相補的固定構造３６（図１）の対応する固定要素と取外し可能に結合する固定要素を提供し、後述のように取外可能固定システム３４（図１）の一部を成す。
【００１５】
装飾要素５０は、パネル又はパネルアセンブリ５２と別に形成され、パネル又はパネルアセンブリ５２に貼り付けられても、パネル５２上又はパネル５２と一体的に形成されてもよい。装飾要素５０は永久的にパネル５２に担持されても、取外し可能にパネル５２に取り付けられてもよい（例えば、装飾要素５０がパネル５２に対して再配置可能となるよう、感圧接着剤を使用する）。一部の実施形態では、装飾要素５０は対応するパネル５２に応じたサイズと形状を有する。更に別の実施形態では、装飾要素５０は対応するパネル５２より若干大きく、パネル５２の側部を包むようにしてパネル５２に取り付けられている。いずれの場合でも、装飾要素５０は装飾的視覚効果をもたらす。可能な装飾効果の例は無限に存在する。例えば、装飾要素５０の装飾効果は、ファンシーな図柄や、物体、人、場所、動物又はそれらの組み合わせを表現したもの（写真又は芸術的描写）や、空想の物体又はキャラクター（例えば漫画のキャラクター）や、折り紙や、模造表面（例えば木目状）などの二次元的表現であってもよい。これに代えて又は加えて、装飾要素５０は織物又はリボンなどによる、三次元的視覚効果を醸成する質感又はそれに類する要素のような変化する表面を含んでよい。更に別の実施形態では、装飾要素５０は黒板及び／又は白板であるか、それを備えてもよい。したがって、装飾要素５０は彫刻品のような三次元的物体であるか、その視覚効果を醸成するものであってもよい。
【００１６】
一部の実施形態では、キット３０（図１）により、２つ以上の装飾アセンブリ３２で、同様のテーマだが少なくとも細部が異なる装飾効果を提供してもよい。例えば、図３Ａ及び図３Ｂは、本開示の壁装飾キット及びシステムで提供可能な非限定的な第１装飾要素５０ａ及び第２装飾要素５０ｂを示す。装飾要素５０ａ、５０ｂはそれぞれ、同様の線、形状、色のファンシーな装飾効果を表すものであるが、第１装飾要素５０ａ内の具体的線（及び／又は色）配置は、第２装飾要素５０ｂのものと異なる。このような構成により、キット３０のユーザは、装飾アセンブリ５０ａ、５０ｂのうち最も好ましいものを選択したり、対応する各装飾アセンブリ３２の両方を互いに近接して配置することで、装飾要素５０ａ、５０ｂが協同で視覚効果を醸成するよう任意に配置したりできる。別の実施形態では、キット３０で提供される各装飾アセンブリ３２が、同一の装飾要素５０（したがって同一の装飾効果）を備え、並べて配置した際に連続的で一つながりの視覚効果が醸成されるようにしてもよい。
【００１７】
上述の装飾効果は、本開示が想定するもののほんの一部であることが理解されよう。装飾要素５０は実質的にあらゆる視覚効果を実現するものなのである。更に別の実施形態では、装飾要素５０は音響制御に供されるものであり、これらと更に類する実施形態によると、装飾要素５０は必ずしも明確又は顕著な視覚効果を醸成しなくてもよい。
【００１８】
一部の実施形態では、装飾要素５０は壁装飾システムの製造業者により製造され、最終品としてエンドユーザに提供される。別の実施形態では、本開示の壁装飾システムは、エンドユーザが所望の装飾要素５０を作成可能とする。これら実施形態では、ユーザは所望の絵（例えば写真）又は所望形態（例えば紙、繊維など）のデザインを生成し、生成された絵又はデザインを装飾要素５０又はその一部として使用する（例えば写真又はその他画像をパネル５２に貼り付けることによる）。言い換えると、本開示の一部の壁装飾システムでは、通常紙又は写真用紙に印刷されるユーザ作成の装飾要素５０（その例は後述する）を取付け可能な１つ以上のパネル又はパネルアセンブリ５２がユーザに提供される。このように構成されたパネル５２は、ユーザ作成の装飾要素５０及び／又はその他特徴的要素（例えばユーザがユーザ作成の装飾要素５０をパネル５２にホッチキスで留められるようにする木製細長片、クリップなど）を提供可能である。関連するその他実施形態では、ユーザが壁装飾システム３０の製造業者に１つ以上の所望の装飾題材を電子的に提供し（例えばｅメール、ウェブサイトダウンロードなどによる）、製造業者が提供された題材に沿って装飾要素５０を作成するようにしてもよい。例えば、ユーザは製造業者に１つ以上のデジタル写真又はその他デジタル形式のデザインを提供してもよい。製造業者はその題材を検討し、パネル５２のサイズやその他パラメータに応じて設計し直して（例えばトリミング又はその他調整）、適切に設計された装飾要素５０をユーザに送り、ユーザが適切に処理するようにしてもよい（例えば、ユーザは装飾要素５０をパネル５２の１つに固定してもよい）。更に別の実施形態では、ユーザが提供した題材に沿った装飾要素５０を使用した、完成品の装飾アセンブリ３２を製造業者がユーザに提供してもよい。更に、製造業者及び／又はエンドユーザは、対象となるデジタル保存された題材を、２つ以上の区画に分割し、各区画が装飾要素５０の１つとなるようにしてもよい。
【００１９】
再び図２Ａ及び図２Ｂを参照に、一部の実施形態では、パネル又はパネルアセンブリ５２は互いに反対側の第１主面６０及び第２主面６２を形成する軽量構造である。パネル５２の軽量性は、材料密度により定義することができる。一部の実施形態では、パネル５２材料の密度は、５ｇ／ｃｍ３未満、或いは３ｇ／ｃｍ３未満、或いは約１ｇ／ｃｍ３である。一部の実施形態では、任意でパネル５２を例えば厚み約０．１２０インチのように比較的薄く設定してもよい。主面６０、６２のうちの一方又は両方は、実質的に平坦又は平面的（例えば、完全な平面の１０％以内）であってもよく、一体均一構造のパネル５２を使用した一部の実施形態では、パネル５２は使用中に、想定された力をユーザがかけても曲がらないほど、比較的剛質である。例えば、一部の実施形態では、取外可能固定システム３４の係合を解除するため、ユーザが約６ｌｂｓ／インチ幅以下の割裂力をパネル５２にかけることを想定し、パネル５２がそのような力がかかった状態でも永久変形しないほど剛質となっている。パネル５２が軽量且つ頑丈な構成であることで、装飾要素５０を十分支持しながら、取外可能固定システム３４（図１）に必要な保持力を下げるという特性が得られる。即ち、装飾アセンブリ３２の質量の大部分を担うパネル５２が軽量であることで、従来のパッケージ化された面ファスナー細長片に使用された場合と比較して、取外可能固定システム３４の保持力を低く設定できる。
【００２０】
一部の実施形態では、パネル５２は一体均一部材で、第１主面６０及び第２主面６２が連続した表面となる基板又は積層体として提供される。例えば、パネル５２は、マイクロフルート段ボール、段ボール、発泡コア又は同様の発泡板、板紙、成型繊維板、木板、プラスチック段ボール、ポリマー発泡剤、又は同様の性質又は同様の特徴を有する材料、及びこれらの組合せ等の様々な材料で形成できる。少なくとも第１主面６０が連続した表面となるパネル５２を使用する実施形態によると、装飾要素５０を任意でパネル５２上又はパネル５２により直接形成できる（例えば、所望の図柄を第１主面６０上に直接印刷できる）。別の実施形態では、装飾要素５０を別体として形成し、後に第１主面６０に貼り付けてもよい（例えば接着剤による接着による）。別の実施形態では、パネル５２は主面６０、６２のうちの一方又は両方を不連続的な表面として形成してもよい（例えばパネル５２はハチの巣形態であってもよい）。
【００２１】
再び図２Ａ及び図２Ｂを参照に、正確な形状を問わず、キット３０（図１）で提供される各装飾アセンブリ３２は、一部の実施形態では同一の形状及び／又はサイズとなるような、同一に設計されたパネル又はパネルアセンブリ５２を備えてもよい。例えば、一部の実施形態では、各装飾アセンブリ３２（及び／又はそれに担持又は形成される装飾要素５０）の外周が平行四辺形（正方形、長方形など）を形成し、１６インチ以下の長さ及び幅を有する。一部の実施形態では、各パネル５２のサイズは１２インチ×１２インチである。また、その他形状や最大寸法も想定される。更に別の実施形態では、キット３０で提供される２つ（又はそれ以上）の装飾アセンブリ３２のパネル５２は、互いに少なくとも形状及び／又は形状が異なっていてもよい。
【００２２】
以下に、取外可能固定構造５４の特徴を、取外可能固定システム３４とともにより詳細に説明する。装飾アセンブリ３２の構造に関して、取外可能固定構造５４は任意に、例えば永久接着剤によりパネル５２に接着するといったように、パネル又はパネルアセンブリ５２の第２主面６２に対して永久的に固定される。例えば熱融解、縫い付け等その他技術で取外可能固定構造５４を第２主面６２に永久的に取り付けてもよい。ユーザに提供される本開示の壁装飾キット及びシステムでは、２部構造取外可能固定システム３４の第１構成要素は任意で、装飾アセンブリ３２の一部として装飾要素５０に予め組み付けられる（永久的に組み付けられたままにしておく）。更に別の実施形態では、取外可能固定構造５４はパネル又はパネルアセンブリ５２に（例えば感圧接着剤で）取外し可能に接続されている。図４に示すよう、正確な形状は問わず、取外可能固定構造５４は任意で、第２主面６２の表面積のある程度を覆う。例えば、一部の実施形態では、取外可能固定構造５４は第２主面６２の少なくとも２０％を覆う又は被覆する（例えば、第２主面６２の外寸が１２インチ×１２インチ又は利用可能表面積が１４４平方インチであって、取外可能固定構造は利用可能面積の少なくとも２０％（例えば少なくとも２８．８平方インチ）を被覆する）。別の実施形態では、取外可能固定構造５４は第２主面６２の少なくとも半分以上（例えば５０％超）或いは少なくとも６０％を覆い、別の実施形態では少なくとも７５％を覆うようなサイズ、形状を有する。更に別の実施形態では、取外可能固定構造５４は第２主面６２の利用可能表面積の全体又はほぼ全体（例えば少なくとも９５％）を覆う。これらの構造、更に同様の構造によると、小さな細長片部材のみが利用可能な従来のパッケージ化された後面接着取外可能固定システムと異なり、取外可能固定構造５４の表面積の大部分に、後述するように装飾アセンブリ３２が取付け可能である。
【００２３】
パネル又はパネルアセンブリ５２は一体部材であると説明されたが、別の実施形態では、２つ（又はそれ以上）の構成要素又は部材を使用してもよい。例えば、図５は装飾要素５０（不図示。図２Ａの装飾要素５０と同様）、裏装板又は裏装体７６、ベース７８、任意の接続アセンブリ（図５では視認不能。詳細を後述）を含む、本開示の原則に係る別実施形態の装飾アセンブリ３２Ｂの複数の部位を示す。裏装体７６とベース７８は、装飾要素５０に裏装体７６を貼り、取外可能固定構造５４（図５では視認不能。例えば図１に図示）をベース７８が担持するように組み合わされて、上述のパネル５２（図２Ａ）と同様となる。一方、図５の実施形態によると、裏装体７６（したがって裏装体７６に担持された装飾要素５０）は、ベース７８に取外し可能に取り付けられ、そのベース７８は壁面に（取外可能固定構造５４を介して）取外し可能に取り付けられている。この構造によると、ベース７８は壁面に沿った「公知の」取付領域を構成でき、これにより（異なる装飾要素５０を持つ）異なる裏装体７６のより確実な交換が可能となる。
【００２４】
裏装体７６は図６Ａ〜６Ｃにより詳細に示され、前面８０とそれとは反対側の後面８２を形成する。裏装体７６内に、１つ以上の脚部８４が後面８２の平面からの突起として形成される。例えば裏装体７６は、各脚部８４が前面８０では凹みとして、後面８２ではそれに対応した突起として、比較的一定の壁厚を有してもよい。いずれの場合でも、脚部８４以外では、面８０、８２は実質的に平坦である（例えば、完全平面又は平坦面の１０％以内）。一部の実施形態では、それぞれが裏装体７６の対応する角近傍に配置された４つの脚部８４が提供される。その他の脚部８４の数及び／又は位置を採用してもよい。いずれの場合でも、前面８０には装飾要素５０（図２Ａ）が取り付けられ（例えば、永久接着剤による接着、機械的固定などによる）、後述のように脚部８４はベース７８（図５）との取外し可能な係合をしやすくするものである。裏装体７６は、一部の実施形態では成型プラスチックであるように、様々な材料から形成可能である。
【００２５】
図７Ａ〜７Ｃは、互いに反対側の前側８６及び裏側８８が形成されたベース７８をより詳細に示す。裏側８８に沿った中央領域９０は、接着剤又はその他接着技術により取外可能固定構造５４（不図示）が取り付けられるように設計される。一部の実施形態では、ベース７８は、中央領域９０が前側８６では凹み又は窪みとして、後側８８ではそれに対応した突起として、比較的一定の壁厚を有する。プラットフォーム領域９２は、中央領域９０を囲繞する、ベース７８の（前側８６に向かう）隆起面である。即ち、プラットフォーム領域９２は中央領域９０に対し隆起しており、したがって中央領域９０はプラットフォーム領域９２に対し窪んでいる。いずれの場合でも、プラットフォーム領域９２はベース７８の先端又は前主平面を形成し、裏装体７６（図５）、特に後述のようにその後面８２（図６Ｂ）を支えるように設計される。これを念頭に、プラットフォーム領域９２には、それぞれ対応する裏装体脚部８４（図６Ｃ）を受け入れるように構成された１つ以上の穴９４が形成されている。このため、穴９４のサイズ、形状、数、位置は脚部８４と対応する。図７Ｃに最も見やすく示すよう、穴９４はプラットフォーム領域９２の主平面から後側８８に向かう凹みとして形成されるが、中央領域９０の平面に達する必要はない。
【００２６】
一部の実施形態では、ベース７８は任意で、プラットフォーム領域９２から経路９６により離間した外周壁９５を形成している。この構造により、ベース７８の全体的剛性が向上する。或いは、プラットフォーム領域９２はベース７８の外周縁に連続してもよく、同一平面であってもよい。ベース７８は、一部の実施形態では成型プラスチックであるように、様々な材料で形成できる。
【００２７】
上述のように、裏装体７６とベース７８は互いに取外し可能に取り付けられるように構成されている。これに関して、更に図８Ａ〜８Ｃを参照に、脚部８４を対応する穴９４内に配置することで、裏装体７６はベース７８に対して中央配置関係となる。装飾アセンブリ３２Ｂが直立に配置される際、各脚部８４／穴９４接触面により、完成したアセンブリの剪断強度が得られる。任意の固定部材を脚部８４／穴９４接触面に設けることで、より強く係合する。例えば、図８Ｃは穴９４に配置された、脚部８４をより強固にベース７８に接続するための接続用アセンブリ９８を概略的に示す。接続用アセンブリ９８は多様な形態を取り得る。例えば、接続用アセンブリ９８は、フック（又はループ）固定部のパッチをその後面８２の脚部８４に貼り、補助ループ（又はフック）固定部をその前側８６の穴９４内に貼った面ファスナーであってもよい。接続用アセンブリは、脚部８４及び穴９４のうちの一方又は両方の接着剤（例えば感圧接着剤）のように他の形態であってもよい。別の実施形態では、接続用アセンブリ９８は磁石型であってもよい。裏装体７６及びベース７８に対し、１つ以上の磁石又は相補的な磁石構造を様々に配置してもよい。例えば、図８Ｄは接続用アセンブリ９８が、裏装体７６の脚部８４に取り付けられた第１磁石９９ａと、ベース７８の穴９４内に取り付けられた第２磁石９９ｂとを備える一実施形態を示す。第１磁石９９ａ及び第２磁石９９ｂは、ベース７８の第２磁石９９ｂが第１磁石９９ａを磁気吸着する（又はその逆）ように、相補的に配置され、脚部８４が穴９４に自動的に入り込み、接続状態が磁力により維持される。或いは、磁力結合を弱めたい場合、磁石９９ａ、９９ｂを裏装体７６の前面８０及び／又はベース７８の後側８８に配置してもよい。関連した実施形態では、磁石９９ａ、９９ｂのうちの一方は、必ずしも磁化されていないが、他方に磁力吸着される金属体（例えば鋼板）であってもよい。いずれの場合でも、接続用アセンブリ９８の磁石型構造は、ベース７８に対して裏装体７６を迅速に中央係合しやすくするという利点がある。
【００２８】
本開示の原則に従う別の関連した実施形態の装飾アセンブリ３２Ｃは図９に示され、裏装板又は裏装体１００と、ベース１０２と、任意の接続用アセンブリ（図９では視認不能）と、装飾要素５０と（概略的に示す）を備える。裏装体１００及びベース１０２は、装飾要素５０が裏装体１００に貼られ、取外可能固定構造５４（図９では視認不能だが、例えば図１に示す）がベース１０２に担持されるように組み合わされることで、上述のパネル５２（図２Ａ）の一部の実施形態と同様となる。図９に示す実施形態によると、裏装体１００（したがって裏装体１００に担持された装飾要素５０）はベース１０２に着脱可能であり、ベース１０２は壁面に（取外可能固定構造５４を介して）着脱可能である。この構造によると、ベース１０２は壁面に沿った「公知の」取付領域を構成でき、これにより（それぞれ異なる装飾要素５０を持ち得る）異なる裏装体１００のより確実な交換が可能となる。
【００２９】
図１０Ａ〜１０Ｃにより詳細に示す裏装体１００は、互いに反対側の前面１１０（図１０Ａ）と後面１１２（図１０Ｂ）を形成する。一部の実施形態では、裏装体１００はボウル状であってもよく、フレーム１１４及びフランジ１１６を備える又は形成する。フレーム１１４は、底壁１１８及び側壁１２０ａ〜１２０ｄ（図１０Ｂ及び図１０Ｃに概略的に示し、そのうち２つは図９で視認及び確認可能である）を有する。底壁１１８は裏装体１００の後面１１２を形成する。側壁１２０ａ〜１２０ｄは、底壁１１８から延び、前面１１０でフランジ１１６が側壁１２０ａ〜１２０ｄから横方向外側、即ち底壁１１８の反対側に突出している。
【００３０】
裏装体１００は更に、図１０Ａ及び図１０Ｃに最もよく示されたポスト１２２を形成している又は備える。ポスト１２２は底壁１１８から前面１１０に向かう突起と定義され、任意の磁石１２６を受け入れ、保持するのに適したサイズ及び形状の通路１２４を形成している。一部の実施形態では、ポスト１２２は前面１１０に対して開口しており、これにより磁石１２６が挿入及び設置しやすくなっている。反対に、ポスト１２２は後面１１２に対しては閉じていてもよい。例えば、ポスト１２２はプラットフォーム１２８まで延在するものであってもよい。図１０Ｂ及び図１０Ｃに最もよく示すよう、穴１３０は後段で明示する理由により、後面１１２でポスト１２２の反対側に形成されている。穴１３０は磁石１２６に対して長手方向に整合され、プラットフォーム１２８まで延びる後面１１２の窪みと定義される。穴１３０の外周１３２（図１０Ｂ）は、ベース１０２（図９）により提供される特徴的要素を受け入れるようなサイズ及び形状を有し、一部の実施形態では図示の通り正方形となる。
【００３１】
裏装体１００は、フランジ１１６に沿って設けられた、装飾要素５０取付用の拡大表面領域により、前面１１０で装飾要素５０（図９）を受け入れ、保持する（例えば永久接着剤による接着、機械的固定などによる）。フランジ１１６は前面１１０を実質的に平坦に形成してもよい。図９に最もよく示すよう、一部の実施形態では、フランジ１１６は装飾要素５０よりも設置面積が小さい。或いは、裏装体１００の設置面積は、装飾要素５０の想定されるサイズにより近くてもよい。
【００３２】
図１０Ｂに最もよく示すよう、例えばフレーム１１４は図示のように、底壁１１８の４つの同一サイズの側縁１３４ａ〜１３４ｄによる四角形であってもよい。側縁１３４ａ〜１３４ｄは、角１３６ａ〜１３６ｄで交差し、一部の実施形態で示すよう、角１３６ａ〜１３６ｄは任意で丸角であってもよい。側壁１２０ａ〜１２０ｄはそれぞれ、対応する側縁１３４ａ〜１３４ｄから同形状で突出し、フレーム１１４の正方形状が維持される。図１０Ｄに更に示すよう、側壁１２０ａ〜１２０ｄは底壁１１８から延長するように平滑な曲線を描いてもよく、前面１１０から横方向外側へ傾斜していてもよい。言い換えると、側壁１２０ａ〜１２０ｄはフレーム１１４のサイズが、前面１１０から底壁１１８に向かって減少するように構成されてもよい。再び図１０Ａ〜１０Ｄを参照に、ポスト１２２及び穴１３０は底壁１１８の正方形状に対して中心に位置している。
【００３３】
裏装体１００は、一部の実施形態の追加、任意の特徴的要素を内蔵してもよい。例えば、裏装体１００を補強するため、内壁１３８が互いに反対側の側壁１２０ａ、１２０ｃ、互いに反対側の側壁１２０ｂ、１２０ｄ間に延在してもよい。別の構造では、内壁１３８を省略及び／又は裏装体１００が前面１１０から後面１１２にかけてより堅固な構造を備えてもよい。裏装体１００は、一部の実施形態では成型プラスチックであるように、様々な材料で形成されてもよい。
【００３４】
ベース１０２は図１１Ａ〜１１Ｃにより詳細に示され、互いに反対側の前側１４０（図１１Ａ）と、後側１４２（図１１Ｂ）とを形成する。中央取付領域１４４は、後側１４２に沿って取外可能固定構造５４（不図示）を接着剤又はその他接着技術により受け入れるように設計される。一部の実施形態では、ベース１０２は、取付領域１４４を前側１４０では凹み又は窪みとして、後側１４２ではそれに対応した突起として、比較的一定の壁厚を有する。
【００３５】
図１１Ａに最もよく示すよう、取付領域１４４は正方形外周を有し、取付領域１４４のサイズと形状は裏装体フレーム１１４（図１０Ｂ）のサイズと形状に対応している。例えば、取付領域１４４の深さ及び形状は底パネル１４６及び側方パネル１４８ａ〜１４８ｄにより生成される。底パネル１４６は裏装体底壁１１８（図１０Ｂ）に対応し、側方パネル１４８ａ〜１４８ｄは概して裏装板側壁１２０ａ〜１２０ｄ（図１０Ｂ）に対応する。より具体的には、側方パネル１４８ａ〜１４８ｄは、側壁１２０ａ〜１２０ｄに対応した横方向長さを有するが、後段で明示する理由により、側方パネル１４８ａ〜１４８ｄは任意で側壁１２０ａ〜１２０ｄよりも長手方向深さが浅くてもよい。側方パネル１４８ａ〜１４８ｄは丸角１５０ａ〜１５０ｄで交差する。したがって、取付領域１４４は裏装体フレーム１１４を入れ子状に受け入れるように構成される。更に、ベース１０２は取付領域１４４の中心に、裏装体穴１３０（図１０Ａ）に対応したサイズ及び形状（例えば正方形状）の脚部１５２を形成している。図１１Ｃに最もよく示すよう、脚部１５２は前側１４０に延びる突起として形成され、任意の磁石１５６を任意で保持するように構成された収容部１５４を形成する。収容部１５４は前側１４０に対して閉じられてもよい。磁石１５６の収容部１５４内への取付けを以下により詳細に説明する。
【００３６】
仕切り領域１５８は取付領域１４４を囲繞し、ベース１０２（前側１４０と後側１４２との間）の中間表面となる。即ち、仕切り領域１５８は取付領域１４４に対して隆起しており、したがって取付領域１４４は仕切り領域１５８に対して窪んでいる。
【００３７】
一部の実施形態では、ベース１０２は更にリップ部１６２まで延びる外周壁１６０を有する又は形成する。後段でより詳細に説明するよう、外周壁１６０の高さ、位置、したがって底パネル１４６に対するリップ部１６２の空間的配置は裏装体１００（図９）の幾何学形状に対応する。より具体的には、底パネル１４６はリップ部１６２に対して、装飾要素５０が裏装板１００に最終的に組み付けられた際にリップ部１６２が装飾要素５０（図９）に整合されるような距離だけ、後側１４２に向かって窪んでいる。
【００３８】
ベース１０２は任意で、１つ以上の追加の特徴的要素を備えてもよい。例えば、ベース１０２は気泡水準器１６６を保持するようなサイズと形状を有するポケット１６４を形成してもよい。ベース１０２は、一部の実施形態では成型プラスチックであるように、様々な材料で形成できる。
【００３９】
上述のように、裏装体１００とベース１０２は互いに取外し可能に取り付けられるように構成される。これに関して、第１に図１２Ａを参照に、穴１３０を概して脚部１５２近傍に配置し、底壁１１８を概して取付領域１４４に整合させることで裏装体１００が自らベース１０２に対して中心配置関係となる。互いに比較的近く配置されると、磁石１２６、１５６は互いに磁力吸着され、穴１３０が脚部１５２に被されるようにしてフレーム１１４が取付領域１４４内に導かれる。これについて、図１２Ｂと図１２Ｃとの比較で示すように、フレーム１１４と取付領域１４４は相補的な正方形状を有しており、磁石１２６、１５６間の磁力吸着により側壁１２０ａ〜１２０ｄ（そのうち２つが図１２Ｂ及び図１２Ｃで視認可能）の湾曲部が対応する側方パネル１４８ａ〜１４８ｄ（そのうち２つが図１２Ｂ及び図１２Ｃで視認可能）に沿って取付領域１４４内へと摺動することで、裏装体１００のベース１０２に対する自己整合がなされる。完全に挿入された裏装体側壁１２０ａ〜１２０ｄは対応するベース側方パネル１４８ａ〜１４８ｄに対し入れ子状態となる。フレーム１１４に関連した丸角と取付領域１４４は、整合及び完全な挿入をしやすくする。図１２Ｃに、磁石１２６、１５６による、組み付けられた裏装体１００、ベース１０２間の磁力係合を示す。別の実施形態では、上述のようにその他設計の接続アセンブリを磁石１２６、１５６の代わりに使用してもよい。
【００４０】
裏装体フレーム１１４及び取付領域１４４の対応する対称形状により、より確実に裏装体１００のベース１０２に対するあらゆる回転ずれが自己修正される。例えば、図１３は取付領域１４４に対して回転して傾斜又はずれた裏装体底壁１１８を示す（例えば、底壁１１８の側縁１３４ａ〜１３４ｄが取付領域１４４の側方パネル１４８ａ〜１４８ｄに整合していない）。しかし、底壁１１８を底パネル１４６に引き寄せる磁力（上述）は、側縁１３４ａ〜１３４ｄを側方パネル１４８ａ〜１４８ｄに沿って移動でき、これにより底壁１１８の取付領域１４４に対する自己整合がなされ、フレーム１１４（図１０Ｃ）が取付領域１４４に完全に入れ子状態で係合される。
【００４１】
図１４は、取外可能固定構造５４（及び相補的固定構造３６）を介した壁面１７０に対する装飾アセンブリ３２Ｃの取付けを示す。参照として、図１４は一部の実施形態では磁石１５６が取外可能固定構造５４により収容部１５４内に組み付け、嵌合可能であることを示す。
【００４２】
必要あれば、裏装体１００／装飾要素５０は、単純に装飾要素５０の１つ以上の縁に対して磁石１２６、１５６間の磁力吸着を十分に上回る牽引力をかけることで適宜取り外すことができる。特に、磁石１２６、１５６を引き離すために必要な力は、後述するように、取外可能固定構造５４を相補的固定構造３６（即ち壁面１７０）から分離するために必要となり得る力よりも小さい。したがって、裏装体１００／装飾要素５０の取外し又は再配置のため、ベース１０２を壁面１７０に沿った好ましい位置から動かす必要がない。新たな組み合わせの裏装体１００／装飾要素５０を（壁面１７０に取り付けたままの）ベース１０２に組み付けてもよい。これで、新たな裏装体１００／装飾要素５０の上述したようなベース１０２に対する自動的な自己整合がなされる。したがって、装飾アセンブリ３２Ｃの磁石型構造は、ベース１０２に対して裏装体１００を迅速に中央係合しやすくするという利点がある。
【００４３】
図１５Ａ及び図１５Ｂは本開示の原則に従う別の実施形態の装飾アセンブリ３２Ｄを示す。装飾アセンブリ３２Ｄは、裏装体又は裏装板２００と、取付ポッド又はベース２０２と、装飾要素５０（概略的に示す）と、取外可能固定構造５４（図１５Ｂでは省略されているが、例えば図１には示されている）とを備える。裏装体２００及び取付ポッド２０２は組み合わされて、上述の別の実施形態のパネル又はパネルアセンブリを形成する。裏装体２００は上述の裏装体１００（図９）と類似しており、取付ポッド２０２はベース１０２（図９）と類似している。したがって、裏装体２００は概して装飾要素５０を保持し、取付ポッド２０２に取外し可能に取り付けられるように構成され、一方取付ポッド２０２は（取付ポッド２０２に担持された取外可能固定構造５４を介して）壁面に着脱可能である。ただし、装飾アセンブリ３２Ｄによると、取付ポッド２０２は（ベース１０２のサイズと比較して）サイズが小さいため、後述するように、取付ポッド２０２に取外し可能に取り付けられる構造の種類や形態の自由度が増す。
【００４４】
裏装体２００は、パネル２１０と、中央部分２１２と、リム２１４とを備え、又は形成してもよい。パネル２１０は、非常に剛質且つ非常に平面状な部材であってもよく、取付面２１６（図１５Ａで視認可能）を形成する。取付面２１６は、装飾要素５０を（例えば接着剤、機械的固定など）を取り付けるため、非常に平坦であってもよい。図示の通り、取付面２１６の設置面積は装飾要素５０の想定されるサイズ及び形状に近似する。或いは、取付面２１６は装飾要素５０の想定されるサイズ及び形状より大きく又はより小さくてもよい。一部の実施形態では、裏装体２００の全体重量と材料費を減ずるため、パネル２１０を厚さ方向に貫通する開口２１８が形成されてもよい。
【００４５】
中央部分２１２はパネル２１０と一体形成され、上述の裏装体１００（図１０Ａ〜１０Ｃ）に非常に類似していてもよい。上述の裏装板１００についての説明は全て、同様に中央部分２１２にも該当する。通常、中央部分２１２は、パネル２１０平面から後方にパネル２１０の反対側の底壁２２２まで突出する４つの側壁２２０ａ〜２２０ｄを有する。底壁２２２は図示の通り、底壁２２２の延長としてパネル２１０まで横方向外側に傾斜した側壁２２０ａ〜２２０ｄを有する正方形状を有してもよい。
【００４６】
中央部分２１２は更に、図１５Ａに最もよく示すポスト２２４を形成する又は備える。ポスト２２４は、底壁２２２からパネル２１０に向かう突起として定義され、磁石（不図示）を受け入れ、保持するようなサイズ及び形状を有する経路２２６を形成する。図１５Ｂに最もよく示すよう、穴２２８が底壁２２２でポスト２２４の反対側に形成される。穴２２８はポスト２２４に整合される。
【００４７】
リム２１４は、パネル２１０を囲繞し、パネル２１０外周から後方に突出する。リム２１４は、湾曲又は傾斜した角を有してもよい。開放領域８６０（図１５Ｂに概略的に示す）がリム２１４と、パネル２１０「裏」の中央部分２１２との間に形成される。後段でより詳細に説明するように、装飾アセンブリ３２Ｄとともに任意で提供されるその他部品（例えば照明）を設置するために開放領域２３０を使用してもよい。
【００４８】
取付ポッド２０２は、上述のベース１０２（図１１Ａ〜１１Ｃ）の取付領域１４４（図１１Ａ〜１１Ｃ）に非常に類似してもよい。上述の取付領域１４４についての説明は全て、同様に取付ポッド２０２にも該当する。通常、取付ポッド２０２は裏装体中央部分２１２（例えば正方形外周）に対応したサイズと形状を有する。取付ポッド２０２の深さと形状は底パネル２３２と側方パネル２３４ａ〜２３４ｂにより定義される。底パネル２５２は裏装体底壁２２２に対応し、側方パネル２３４ａ〜２３４ｄは概して裏装体側壁２２０ａ〜２２０ｄに対応する。したがって、取付ポッド２０２は裏装体中央部分２１２を受け入れるように構成される。さらに、取付ポッド２０２は、底パネル２３２の中央に位置し、前方に突出する脚部２３６を形成している。脚部２３６は、裏装体穴２２８に応じたサイズと形状（例えば正方形）を有する。図１５Ｂに最もよく示すよう、脚部２３６は任意の磁石（不図示）を任意で保持するように構成された収容部２３８を形成する。収容部２３８は脚部２３６の前側２４０（図１５Ａ）に対して閉じられていてもよい。
【００４９】
上述の通り、裏装体２００と取付ポッド２０２は互いに取外し可能に取り付けられるように構成される。例えば、図１６Ａは取付ポッド２０２に結合された裏装体２００（更に裏装体２００に取り付けられた装飾要素５０）を示す。裏装体中央部分２１２は、底パネル２３２が底壁２２２に当接して取付ポッド２０２内に入れ子状に収まっている。図１６Ａには示していないが、上述の装飾アセンブリ３２Ｃ（図１２Ａ〜１２Ｃ）の説明同様、裏装体２００と取付ポッド２０２が補助磁石（不図示）により磁力結合して、取付ポッド脚部２３６（図１５Ａ）が裏装体ポスト穴２２３８（図１５Ｂ）内に受け入れられる。別実施形態の補助磁石の代わりに上述の別の接続アセンブリ形態を利用してもよい。
【００５０】
図１６Ｂは、取外可能固定構造５４と相補的固定構造３６を介した壁面１７０に対する装飾アセンブリの取付けを示す。裏装体２００／装飾要素５０は、単純に裏装体２００の１つ以上の縁に対して裏装体２００で提供される磁石（不図示）と取付ポッド２０２間の磁力吸着を十分に上回る牽引力をかけることで取付ポッド２０２から適宜取り外すことができる。ここでも、磁石を引き離すために必要な力は、取外可能固定構造５４を相補的固定構造３６から（したがって、後述するように、壁面１７０から）分離するために必要となり得る力よりも小さい。したがって、裏装体２００／装飾要素５０の取外し又は再配置のため、取付ポッド２０２を壁面１７０に沿った好ましい位置から動かす必要がない。更に、取付ポッド２０２は（裏装体２００と比較して）比較的小さな設置面積を持つため、開放領域２３０の大部分を照明、スピーカ、その他電子部品などのような任意の補助物品の取付け、保持に利用できる。
【００５１】
図１７Ａは、上述の装飾アセンブリ３２Ｄに類似した別実施形態の装飾アセンブリ３２Ｅを示す。装飾アセンブリ３２Ｅは装飾要素２８０と、裏装体又は裏装板２８２と、取付ポッド又はベース２０２と、取外可能固定構造５４（図１７Ａでは視認不能だが、例えば図１に示す）とを備える。前述の実施形態同様、装飾要素２８０は裏装体２８２に取り付けられている（例えば永久的に又は取外し可能に取り付けられている）。裏装体２８２及び取付ポッド２０２は、壁面に（取付ポッド２０２に担持された取外可能固定構造５４を介して）着脱可能な取付ポッド２０２に対する裏装体２８２の選択的結合をしやすくする相補的特徴的要素（例えば磁石）を備える。
【００５２】
装飾要素２８０は様々な外観を有する多様な形態を取り得る。図１７Ａに示す実施形態によると、装飾要素２８０は奥行きを提供する、又は三次元的外観特性を示すような形状を有する。例えば、装飾要素２８０は様々な凹部が形成可能な前面２８４を有する。更に、リム２８６は前面２８４を囲繞し、前面２８４から後方に突出する。リム２８６は後述のように、裏装体２８２への取付けをしやすくする１つ以上の特徴的要素（不図示）を備えてもよい。
【００５３】
裏装体２８２は上述の裏装体２０２（図１５Ａ及び図１５Ｂ）に類似してもよく、パネル２９０と中央部分２９２を備える。パネル２９０は、例えばリム２８６に対して相補的な形状及びサイズを持つ外周縁２９４を形成することで、装飾要素２８０を取り付け、支持するよう構成される。更に、縁２９４は１つ以上の補助的結合用特徴的要素を収容又は形成してもよい（例えば、縁２９４はリム２８６に沿って形成されたスロット（不図示）に摩擦をかけて受け入れるように構成されるリップ部（不図示）を形成してもよい）。取外し可能又は永久的に関わらず、あらゆるその他取付技術を使用してもよい（例えば、装飾要素２８０はパネル２９０に接着してもよい）。いずれの場合でも、中央部分２９２は上述の説明に対応する取付ポッド２０２との取外し可能な結合のために構成され、取付ポッド２０２に担持された磁石（不図示）に磁力吸着される磁石（不図示）を保持するポスト２９６を備えてもよい。
【００５４】
図１７Ｂは、取外可能固定構造５４及び相補的固定構造３６を介した壁面１７０への装飾アセンブリ３２Ｅの取付けを示す。装飾要素２８０は裏装体２８２に組み付けられる。裏装体２８２／装飾要素２８０は上述のように取付ポッド２０２に取外し可能に結合される（例えば磁力吸着される）。裏装体２８２／装飾要素２８０は、単純に装飾要素２８０の１つ以上の縁に対して裏装体２８２で提供される磁石（不図示）と取付ポッド２０２間の磁力吸着を十分に上回る牽引力をかけることで取付ポッド２０２から適宜取り外すことができる。ここでも、磁石を引き離すために必要な力は、後述するように、取外可能固定構造５４を相補的固定構造３６から（したがって、壁面１７０から）分離するために必要となり得る力よりも小さい。したがって、裏装体２８２／装飾要素２８０の取外し又は再配置のため、取付ポッド２０２を壁面１７０に沿った所望の位置から動かす必要がない。更に、取付ポッド２０２は（裏装体２８２と比較して）比較的小さな設置面積を持つため、装飾要素２８０内にある開放領域２９８の大部分を照明、スピーカ、その他電子部品などのような任意の補助物品の取付け、保持に利用できる。
【００５５】
上述のように、一部の実施形態では本開示の装飾アセンブリを、ユーザが所望する写真やその他芸術作品を取り付けるように設計してもよい。これを念頭に、図１８は本開示の原則に従う別の実施形態の装飾アセンブリ３２Ｆを示す。装飾アセンブリ３２Ｆは、裏装体１００と、ベース１０２（又は対応する上述のその他構成要素）と、上述の取外可能固定構造５４（図１８では視認不能だが、例えば図１に示す）とを備える。更に、裏装板３０２及びカバー３０４を備える装飾要素３００が設けられる。裏当て３０２及びカバー３０４は、合わせて写真３０６（又はその他物品）を取外し可能に受け入れ、保持するサイズを有するポケットを形成するように構成される。
【００５６】
裏装板又はフォトブランク３０２は、裏装体１００をその前面１１０に取り付ける（例えば永久接着剤による接着、機械的固定など）ように構成された比較的剛質の材料（例えばプラスチックシート）でできた薄く、柔軟なシートである。裏当て３０２は一部の実施形態では、裏装体１００又はベース１０２に対応するサイズと形状を有してもよい。何れの場合でも、裏当て３０２は任意で縁３１０ａに凹み又はカップ３０８を形成している。凹み３０８は裏当て３０２のその他部分により形成された表面からの突起を示す。後述するように、凹み３０８は写真３０６を設置／取り外す際のユーザの指又は親指を置けるようなサイズに設定されている。図１８には凹み３０８が１つのみ示されているが、別の実施形態では裏当て３０２のその他縁３１０ｂ〜３１０ｄにさらなる凹みが形成されてもよい。更に別の実施形態では、凹み３０８を省略してもよい。
【００５７】
カバー又はフォトフレーム前面３０４は、縁部分３１２及びウィンドウ３１４を形成又は画定する、薄くて比較的剛質のシートである。一部の実施形態では、カバー３０４は（例えばアクリル製の）透明又は半透明材料のベース層を備える。第２不透明材料をベース層に印刷又は貼着することで、縁部分３１２が生成される。いずれの場合でも、ウィンドウ３１４は透明又は半透明で、縁部分３１２が額縁の外観を示す状態でカバー３０４「奥」の物品（例えば、写真３０６）をユーザが「視認」可能とする。カバー３０４は、裏当て３０２のサイズと形状に対応したサイズと形状を有し、裏装板縁３１０ａ〜３１０ｄにそれぞれ対応する縁３１６ａ〜３１６ｄを形成可能である。ただし、一部の実施形態ではカバー３０４が凹み３０８と対になるものを形成するのではなく、対応する縁３１６ａが直線又は線形であってもよい。
【００５８】
カバー３０４は、ポケットが形成される様々な方法で裏当て３０２に接続可能である。一部の実施形態では、裏当て３０２及びカバー３０４はヒンジ状に係合され、裏当て３０２の一部はカバー３０４の反対方向（又はその逆）に枢動可能となる。例えば、一実施形態では、カバー３０４が互いに対応する縁３１０ａ〜３１０ｄと縁３１６ａ〜３１６ｄが整合した状態で裏当て３０２に配置され、接着（不図示）細長片が底縁３１０ｃ、３１６ｃ全体に塗布される。この配置により、接着細長片は、裏当て３０２を接続底縁３１０ｃ、３１６ｃでカバー３０４に対して枢動することで、裏当て３０２の上縁３１０ａをカバー３０４の上縁３１６ａから離すことを可能としながら、裏当て３０２とカバー３０４との間の接続を維持する。その他接続技術も想定される。
【００５９】
図１９Ａは装飾アセンブリ３２Ｆの最終構造を示す。裏当て３０２は裏装体１００に結合され、裏装体１００はベース１０２に結合される（例えば、上述のように磁石による）。図示簡略化のため、取外可能固定構造５４（図１）は図１９Ａでは省略されているが、取外可能固定構造５４は壁面に装飾アセンブリ３２Ｆを固定する際に、相補的固定構造３６（図１）対して取外し可能に整合するように構成された、本明細書で記載されたあらゆる形態を想定し得ることが理解されよう（例えば、例示的に図１６Ｂに示す）。カバー３０４は例えば対応する底縁３１０ｃ、３１６ｃで裏当て３０２に接続されている。ポケット３１８（概略的に示す）は裏当て３０２とカバー３０４の間に設けられる。裏当て３０２をカバー３０４から離間するよう枢動する（又はその逆）ことでポケット３１８に進入可能である。これに関して、凹み３０８は裏当て３０２をカバー３０４から離間するようユーザの指を挿入する好適な領域を提供する。
【００６０】
図１９Ｂに示すよう、写真３０６をポケット３１８（概略的に示す）に挿入可能である。挿入された写真３０６は、概してウィンドウ３１４（図２０Ｂに概略的に示すが、図１８により明確に示される）と整合されて、裏当て３０２とカバー３０４との間に（例えば静電気で）保持される。したがって、写真３０６は装飾アセンブリ３２Ｆの観者には視認可能である。所望に応じて、写真３０６をポケット３１８から取り出し、新しい写真又はユーザ希望の物品と交換できる。参照として、装飾要素３００は本開示の任意のその他装飾アセンブリとともに使用可能である。
【００６１】
装飾要素３００として、写真３０６（又はその他物品）のポケットに対する挿入、取出しに供される多数のその他形態をとり得る。例えば、図２０は装飾アセンブリ３２Ｆ（又は本開示の任意のその他装飾アセンブリ）との使用に有用な別の装飾要素３２０を示す。装飾要素３２０は装飾要素３００（図１８）に類似し、裏装板又はフォトブランク３２２とカバー３２４とを備える。通常、裏装板３２２及びカバー３２４は、写真３０６（図１８）又はその他物品を取外し可能に受け入れ、保持するサイズのポケットを形成するように組み合わさる。
【００６２】
更に図２１を参照に、裏装板３２２は裏当て３０２（図１８）に非常に類似してもよく、上述の（任意の凹み３０８を含む）あらゆる特性を備えてもよい。更に、裏装板３２２は互いに対抗し、底縁３２８に対向するコーナータブ３２６ａ、３２６ｂを形成又は画定する。コーナータブ３２６ａ、３２６ｂは、後述するカバー３２４の構成要素に合わせたサイズと形状を有する。
【００６３】
図２０及び図２２を参照に、カバー又はフォトフレーム前面３２４はカバー３０４（図１８）に非常に類似してもよく、上述のあらゆる特性（縁部分３１２とウィンドウ３１４を含む）を有してもよい。更に、カバー３２４は互いに反対側の、底縁３３２に対向する接続部３３０ａ、３３０ｂを備える、又は接続部３３０ａ、３３０ｂが取り付けられる。接続部３３０ａ、３３０ｂは同一形状であってもよく、対応するコーナータブ３２６ａ、３２６ｂのうちの一方を選択的に受け入れ、保持するようなサイズと形状を有する。例えば、各接続部３３０ａ、３３０ｂの一部はカバー３２４の裏主面３３４から突出し、コーナータブ３２６ａ、３２６ｂのうちの一方を挿入し、一時的に保持可能な開放通路３３６（第１接続部３３０ａのものを図２０に概略的に示す）を形成してもよい。
【００６４】
カバー３２４は、上述のようにポケットが形成されるように、様々な方法で裏装板３２２に接続可能である。例えば、対応する底縁３２８、３３２で、裏装板３２２及びカバー３２４がヒンジ状に係合される。いずれの場合でも、裏装板底縁３２８に対するコーナータブ３２６ａ、３２６ｂの空間的位置及び配置は、カバー底縁３３２に対する接続部３３０ａ、３３０ｂの空間的位置及び配置に対応する。底縁３２８、３３２が概して互いに整合され、固定される（ポケットが裏装板３２２及びカバー３２４との間に概して定義された）最終組み付けに際して、図２３に示すように、各コーナータブ３２６ａ、３２６ｂは対応する接続部３３０ａ、３３０ｂの通路３３６（図２０）に容易に挿入、保持でき、裏装板３２２をカバー３２４に対して位置決めする。ユーザがポケットに操作（例えば写真又はその他物体を挿入又は抜き出し）しようとする際、コーナータブ３２６ａ、３２６ｂを対応する接続部３３０ａ、３３０ｂから摺動により容易に分離し、上述のように裏装板３２２を操作又はカバー３２４（例えば凹み３０８で）から離間するように枢動できる。
【００６５】
スペーサアセンブリ３８
再び図１を参照に、装飾アセンブリ３２は壁面に密着して直接取り付けられる。任意で、本開示のシステム及びキットは、本明細書で説明されたあらゆる装飾アセンブリと壁面との間にさらなる奥行きを設けることができる、１つ以上の上述のスペーサアセンブリ３８を備える。（１つ又は複数の）スペーサアセンブリ３８は多様な形態を想定可能である。通常、図２４Ａを参照に、スペーサアセンブリ３８の非限定的な例は、前主面３５２及び後主面３５４を形成するスペーサ構造３５０を備える。スペーサ構造３５０は、互いに相対移動可能又は不能な１つ、２つ、又はそれ以上の部材からなるものであってもよい。いずれにせよ、複数の第１固定要素３５６が前主面３５２上に配置又は形成され（例えば、第１固定要素３５６が前主面３５２に対し露出）、複数の第２固定要素３５８が後主面３５４上に配置又は形成される（例えば、第２固定要素３５８が後主面３５４に対して露出している）。後述のように、第１固定要素３５６及び第２固定要素３５８は、取外可能固定システム３４（図１）の構成要素との接合に適した形態をとり得、様々な方法でスペーサ構造３５０に接続可能である（例えば、第１固定要素３５６及び第２固定要素３５８は、それぞれ対応する主面３５２、３５４に接着又は貼着される材料又は複合構造により形成又は担持可能である）。
【００６６】
使用中、図２４Ｂに示すように、スペーサアセンブリ３８は装飾アセンブリ３２と相補的固定構造３６の間に介在可能である。具体的に、他部で説明したように、相補的固定構造３６は壁面１７０に接着される。スペーサアセンブリ３８は、（スペーサ構造３５０の後主面３５４に沿った）スペーサアセンブリ３８の第２固定要素３５８と、相補的固定構造３６の相補的固定要素３６０との係合（例えば、後述のような面ファスナー）により、相補的固定構造３６に取り付けられる。同様に、装飾アセンブリ３２は、装飾アセンブリ３２の固定要素３６２と、（スペーサ構造３５０の前主面３５２に沿った）スペーサアセンブリ３８の第１固定要素３５６との係合により、スペーサアセンブリ３８に取り付けられる。このように、スペーサ構造２００は壁面１７０から離して装飾アセンブリ３２を保持し、視覚的奥行きを生成する。
【００６７】
上記のスペーサアセンブリ３８の全体的概念によると、スペーサ構造２００の様々な異なる形態が想定できる。スペーサ構造２００は、摺動又は回転盤や、伸縮又は蛇腹構造であってもよい、又はそれを備えてもよい。更に、本開示のスペーサアセンブリ３８は、照明（例えば、ＬＥＤ）及び電源のような必ずしも図示しない１つ以上の追加の特徴的要素を含み得る。
【００６８】
本開示のスペーサアセンブリは、対応する装飾アセンブリにより提供される特徴的要素に対応する１つ以上の追加の特徴的要素を含んでもよい。これに関して、スペーサアセンブリは任意で装飾アセンブリの下位構成要素と捉える事ができる。これを念頭に、図２５Ａ及び図２５Ｂは、別実施形態のスペーサアセンブリ又は増強構造４００を備える、本開示の原則に従う別実施形態の装飾アセンブリ３２Ｇを示す。装飾アセンブリ３２Ｇは上述の装飾アセンブリ３２Ｃ（図９）と類似してもよく、例えば上述の裏装体１００と、ベース１０２と、装飾要素５０（概略的に示す）とを備える。ここでも、装飾要素５０は、例えば図２５Ｂに示す接着細長片４０２（例えば、感圧接着細長片）を使用するように、裏装体１００に様々な方法で組み付けられる。接着剤細長片４０２は裏装体１００に永久的に接着され、（装飾要素５０が裏装体１００に対して取外し可能になるよう）装飾要素５０に対する取外し可能な接着接続を提供、或いは装飾要素５０に永久的に接着され、（装飾要素５０／接着剤細長片４０２の組み合わせが別の装飾要素５０／接着剤細長片４０２の組み合わせと交換可能となるよう）裏装体１００に対する取外し可能な接着接続を提供できる。別の実施形態では、上述のように装飾要素５０はより永久的に裏装体１００に取り付けられてもよい。更に、図２５Ｂはベース１０２に更に取付け可能な取外可能固定構造５４を示す。
【００６９】
裏装体１００とベース１０２に加え、装飾アセンブリ３２Ｇはスペーサ又はスペーサアセンブリ４００を備える。通常、スペーサアセンブリ４００は裏装体１００を取外し可能に受け入れ、保持し、ベース１０２を取外し可能に受け入れ、保持するように、壁面に対して着脱可能に構成される。この構成によると、ユーザは対象の壁面に対して多数の異なる装飾効果を提供可能となる。例えば、スペーサアセンブリ４００を壁面に取付け可能である。その後、裏装体１００／装飾要素５０をスペーサアセンブリ４００に対して直接取外し可能に取り付けてもよく、ベース１０２をスペーサアセンブリ４００に対して取外し可能に取り付けてもよく、或いは裏装体１００／装飾要素５０をベース１０２に対して取外し可能に取り付けてもよい。或いは、スペーサアセンブリ４００を使用せずに、上述の説明の通りに（裏装体１００／装飾要素５０を取外し可能に裏装体ベース１０２に取り付けて）ベース１０２を取外し可能に壁面に取り付けてもよい。
【００７０】
更に図２６を参照に、一部の実施形態では、スペーサアセンブリ４００はスペーサ４０４と、１つ以上の磁石４００と、取外可能固定構造４０８とを備える。スペーサ４０４は、ヘッド４１０及びネック４１２を形成又は画定する。ヘッド４１０は結合領域４１４を形成する。結合領域４１４はカップ状で、スペーサ４０４の前面４１８で開放している。結合領域４１４の奥行き、サイズ、形状は、底パネル４２０及び連続的な側方パネル４２２（概略的に示す）により定義され、裏装体１００のフレーム１１４のサイズ及び形状と、ベース１０２の取付領域１４４の外形のサイズ及び形状に対応する。したがって、スペーサ４０４の結合領域４１４は、裏装体フレーム１１４を入れ子状に受け入れ、ベース取付領域１４４を入れ子状に受け入れるように構成される。
【００７１】
ネック４１２は、ヘッド４１０から前面４１８の反対方向に突出する。図２６に最もよく示すよう、ネック４１２の外周サイズは、外側フレーム４２４により画定され、（ヘッド４１０から延在するネック４１２によりスペーサ４０４の奥行きを増加した上で）ヘッド４１０よりも小さくてもよい。ネック４１２は、１つ以上の磁石４０６を保持するように構成される収容部４２６を形成している。収容部４２６（及び保持される（１つ以上の）磁石４０６）は、底パネル４２０に直接隣接し形成され、結合領域４１４の形状に対して中心に配置される。後段で明示する理由により、この位置は裏装体１００及びベース１０２に設けられた（１つ以上の）磁石の空間的位置に対応する。最終的に、ネック４１２は後面４２８まで延びる内部フレーム４２６を備えてもよい。後面４２８は取外可能固定構造４０８を受け入れるように構成される。これに関して、内部フレーム４２６の深さは外側フレーム４２４の深さに対して、取外可能固定構造４０８の厚さに対応する距離の分だけ僅かに少なくてもよい。取外可能固定構造４０８が後面４２８に固定されると、取外可能固定構造４０８の厚さが外側フレーム４２４の後端４３０に概して整合される（例えば、任意で、最終的に組み立てられると取外可能固定構造４０８が外側フレーム４２４の後端４３０から突出しない）。
【００７２】
（１つ以上の）磁石４０６は、上述のあらゆる形態をとり得る。図示の例示的実施形態によると、スペーサアセンブリ４００は２つの磁石４０６を備え、それにより強い磁力又は磁場を生成する。磁石の数は、より多く又はより少なくてもよい。いずれにせよ、後述のように、結合領域４１４における又は結合領域４１４に対向する（１つ以上の）磁石４０６の極性（Ｎ極又はＳ極）が、（１つ以上の）磁石４０６に対向して結合領域４１４内に配置されると裏装体１００及びベース１０２に関連付けられる（１つ以上の）磁石の極性と逆になるように、（１つ以上の）磁石４０６がスペーサ４０４に対して配置される。
【００７３】
取外可能固定構造４０８としては、取外可能固定構造５４について本開示の他部で説明されたあらゆる形態をとり得る。一部の実施形態では、取外可能固定構造４０８が比較的大きな表面積を持つよう、取外可能固定構造４０８のサイズと形状は後面４２８のものに対応する。いずれの場合も、取外可能固定構造４０８は、永久接着剤による接着など様々な方法で後面４２８に取付け可能である。
【００７４】
上述のように、装飾アセンブリ３２Ｇは、多数の異なる方法で壁面に取付け可能である。例えば、図２７Ａはスペーサアセンブリ４００（図２５Ａ）が除外された、又は使用されていない第１配置を示す。ベース１０２は、相補的固定構造３６と取外可能固定構造５４を介して壁面１７０に取外し可能に直接取り付けられる（例えば、相補的固定構造３６が壁面１７０に取り付けられ、（ベース１０２にも取付可能な）取外可能固定構造５４が相補的固定構造３６に取外し可能に接続されている）。上述のように、（装飾要素５０が取付け可能でもある）裏装体１００は、ベース１０２の取付領域１４４に入れ子になっている裏装体フレーム１１４を備えるベース１０２に取外し可能に取り付けられる。裏装体１００に設けられた磁石１２６と、ベース１０２に設けられた磁石１５６による磁力吸着により、強固な取付け又は係合が実現される。これに関して、裏装体磁石１２６の後端側磁極４４０の極性が、ベース磁石１５６の先端側磁極４４２の極性と逆となるように（図２７Ａの裏装体１００／ベース１０２配置では、裏装体磁石１２６とベース磁石１５６が互いに磁力吸着されるように）、裏装体磁石１２６が裏装体１００に対して配置され、ベース磁石１５６がベース１０２に対して配置される。一部の実施形態では、ベース磁石１５６は、ベース磁石１５６の後端側磁極４４４の極性が、先端側磁極４４２と逆になるように、互いに反対側の両面を介して軸方向に磁化されたディスク型磁石である。言い換えると、ベース磁石１５６の後端側磁極４４４の極性と裏装体磁石１２６の後端側磁極４４０の極性を同一として、先端側磁極４４２及び後端側磁極４４４の極性が逆となるように、ベース１０２に設けられる磁石１５６（又は複数の磁石）は配置される。
【００７５】
図２７Ｂは、装飾アセンブリ３２Ｇにより可能となる別の配置を示す。スペーサアセンブリ４００は、壁面１７０に直接取り付けられる（例えば、相補的固定構造３６は壁面１７０に取り付けられ、（スペーサ４０４にも取付け可能な）取外可能固定構造４０８は相補的固定構造３６に取外し可能に接続されている）。上述のように、裏装体１００／装飾要素５０はベース１０２に取外し可能に取り付けられる。最後に、ベース１０２がスペーサ４０４に取外し可能に取り付けられる。より具体的には、ベース１０２の取付領域１４４は、ベース取付領域１４４の壁又はパネルがスペーサ４０４の側方パネル４２２内で又は側方パネル４２２に対して入れ子状になるように、スペーサ４０４の結合領域４１４内に収容される。図示のように、結合領域４１４は、（ベース１０２が取外可能固定構造５４を担持する実施形態において）、取外可能固定構造５４が底パネル４２０に対して担持される、又は入れ子状になって、取外可能固定構造５４を収容するように構成される。ベース１０２に設けられた磁石１５６と、スペーサ４０４に設けられた（１つ以上の）磁石４０６との間の磁力吸着により、強固な取付け又は係合が実現される。これに関して、（１つ以上の）スペーサ磁石４０６の先端側磁極４４６の極性が、ベース磁石１５６の後端側磁極４４４の極性と逆となるように（図２７Ｂのベース１０２／スペーサ４０４配置では、ベース磁石１５６と（１つ以上の）スペーサ磁石４０６が互いに磁力吸着されるように）、（１つ以上の）スペーサ磁石４０６がスペーサ４０４に対して配置される。
【００７６】
図２７Ｃは、ベース１０２（図２５Ａ）が除外された、又は使用されていない装飾アセンブリ３２Ｇにより実現可能な別の配置を示す。上述のように、スペーサ下位アセンブリ４００が壁面１７０に取外し可能に取り付けられる（例えば、スペーサ下位アセンブリ４００の取外可能固定構造４０８が、壁面１７０にも適応される相補的固定構造３６に取外し可能に固定される）。裏装体１００／装飾要素５０は、スペーサ４０４に取外し可能に取り付けられる（図２７Ｃはスペーサ４０４に完全に係合する処理の途中の裏装体１００を示すことが理解されよう）。具体的には、裏装体フレーム１１４の壁又はパネルが底パネル４２０及び／又はスペーサ４０４の側方パネル４２２に対して入れ子状になった状態で、裏装体１００のフレーム１１４がスペーサ４０４の結合領域４１４内に収容される。裏装体１００に設けられた磁石１２６と、スペーサ４０４に設けられた（１つ以上の）磁石４０６との間の磁力吸着により、強固な取付け又は係合が実現される。これに関して、（１つ以上の）スペーサ磁石４０６の先端側磁極４４６の極性が、裏装体磁石１２６の後端側磁極４４０の極性と逆となる（図２７Ｃの裏装体１００／スペーサ４０４配置では、裏装体磁石１２６と（１つ以上の）スペーサ磁石４０６が互いに磁力吸着される）。
【００７７】
図２７Ａ〜２７Ｃに示すいずれかの配置では、裏装体１００／装飾要素５０は、装飾要素５０の１つ以上の縁に対して、対応する磁石間の磁力吸着を上回るに十分な引張力を掛けるだけで適宜取り外すことができる（例えば、図２７Ａ及び図２７Ｂに示す磁石１２６、１５６、又は図２７Ｃに示す磁石１２６、４０６）。更に、ベース１０２及びスペーサアセンブリ４００の両方を用いた配置では、ベース１０２は、ベース１０２の１つ以上の縁に対して、磁石１５６、４０６間の磁力吸着を上回るに十分な引張力を掛けるだけでスペーサ４０４から適宜取り外すことができる（図２７Ｃ）。したがって、裏装体１００／装飾要素５０の取外し又は取換えのため、壁面に他の方法で直接取り付けられた構成要素（例えば、図２７Ａのベース１０２又は、図２７Ｂ及び図２７Ｃのスペーサアセンブリ４００）を除去する必要がない。新たな組み合わせの裏装体１００／装飾要素５０をベース１０２（図２７Ａ及び図２７Ｂの配置）又はスペーサアセンブリ４００（図２７Ｃの配置）に組み付けてもよい。これに関して、新たな裏装体１００／装飾要素５０の上述したようなベース１０２又はスペーサ４０４に対する自動的な自己整合がなされる。更に、ユーザは、（ベース１０２及びスペーサアセンブリ４００のうちの一方のみ又は両方を使用して）壁面１７０に対する装飾要素５０の奥行きを選択可能となる。装飾アセンブリ３２Ｇの磁石型構造は、壁面１７０に他の方法で取り付けられる構成要素に対して裏装体１００を迅速に中央係合しやすくするという利点がある。
【００７８】
図２８Ａ及び図２８Ｂは、別実施形態の装飾アセンブリ３２Ｈを示す。装飾アセンブリ３２Ｈは装飾アセンブリ３２Ｄ（図１５Ａ及び図１５Ｂ）に類似したものであってもよく、上述の装飾要素５０と、裏装体２００と取付ポッド又はベース２０２とを備える。更に、装飾アセンブリ３２Ｈはスペーサアセンブリ又は増強構造４７０を備える。或いは、増強構造４７０を装飾アセンブリ３２Ｄとは別の構成要素と捉えてもよい。
【００７９】
増強構造４７０は、互いに反対側の先端部位４７２及び後端部位４７４（概略的に示す）を形成している又は備える。先端部位４７２は裏装体中央部分２１２を取外し可能に受け入れ、保持するように構成され、任意で上述の取付ポッド２０２と同一の外周サイズ及び形状を有する。更に、先端部位４７２は、裏装体２００に設けられた磁石（不図示）に相補的に配置された磁石（不図示）を担持する。したがって、先端部位４７２は上述のように裏装体２００を受け入れ、保持する。後端部位４７４は取付ポッド２０２を受け入れ、保持するように構成され、任意で上述のように裏装体中央部分２１２（図１５Ａ及び図１５Ｂ）と同一の外周サイズ及び形状を有する。更に、後端部位４７４は、取付ポッド２０２に設けられた磁石（不図示）に相補的に配置された磁石（不図示）を担持する。したがって、取付ポッド２０２は上述のように後端部位４７４を受け入れ、保持する。最終的に組み立てられると、増強構造４７０は裏装体２００と取付ポッド２０２の間に介在し、裏装体２００（したがって、担持される装飾要素５０）が確実に取付ポッド２０２に接続されるようにし、装飾要素５０と壁面（不図示）との間にさらなる奥行きを設ける。
【００８０】
取外可能固定システム３４
上記説明から明らかなように、本開示の装飾アセンブリの構成要素は様々な形態をとり得る。以下の説明では、「装飾アセンブリ３２」についての記載は、本開示のすべての実施形態の装飾アセンブリを含む。図１に示し、上述したように、取外可能固定システム３４は、取外可能固定構造５４（本開示中で説明された任意の装飾アセンブリの実施形態に設けられる）と、相補的固定構造３６とによる２部構造システムである。取外可能固定システム３４については様々な形態を想定でき、通常は（装飾アセンブリ３２の）取外可能固定構造５４に設けられる複数の第１固定要素５００と、相補的固定構造３６に設けられる複数の第２固定要素５０２とを備える。第１固定要素５００及び第２固定要素５０２は、互いに取外し可能、即ち非永久的な接合がなされる相補的構造を備える。例えば、第１固定要素５００及び第２固定要素５０２は、面ファスナーシステムのようなものであってもよい。第１固定要素５００がフックを担い、第２固定要素５０２がループを担ってもよく、或いはその逆であってもよい。
【００８１】
後述のように、一部の実施形態では、第１固定要素５００及び第２固定要素５０２は低背で、少なくとも１０ｌｂｓの全方向の動的剪断強度、幅６ｌｂｓ／インチ以下の割裂強度、及び６．５ｌｂｓ／インチ２以下の引張力によって特徴付けられる接合保持力を有する。取外可能固定システム３４の保持力は、任意で従来のパッケージ化された面ファスナー細長片よりも小さくてもよく、固定要素５００、５０２を互いに引きはがすためのユーザの力が少なくても済むことが望ましい。本開示の特徴である低い保持力は、上述のように装飾アセンブリ３２が軽量構造であることから実現される。
【００８２】
取外可能固定システム３４が２部構造面ファスナー型形態を持つ実施形態によると、フック部（例えば、取外可能固定構造５４又は相補的固定構造３６）について図２９に示したものと類似した形態が想定される。特に、本開示に有用なフック固定構造５１０は、裏装板５１２と、マッシュルーム形状突起又はフック５１４列とを備える。参照として、マッシュルーム形状突起又はフック５１４は、第１固定要素５００及び第２固定要素５０２（図１）のうちの一方となる。各フック５１４は、分子配向茎部５１６と、裏装板５１２の反対側の茎部５１６の端に、茎部５１６から径方向に突出又は張り出している概して円盤状のキャップ又はヘッド５１８とを備える。任意で、キャップ５１８は概して平坦で若干窪んだ外面５２０と、裏装板５１２の主面に対して隣接し、並行な概して平坦な径方向に延びる内面５２２とを形成する。一部の実施形態では、ヘッド５１８は、直径と厚さの比が１．５：１を超えるような直径を有する（即ち、ヘッド５１８の直径が、ヘッド５１８及び茎部５１６で径方向に測定された平均最大径となり、ヘッド５１８の厚さが、外面５２０及び内面５２２間で測定された平均最大厚さとなる）。茎部５１６はまた、そのベース周りに隅肉５２４を備えてもよい。
【００８３】
フック固定構造５１０の任意の特徴は、例えば、米国特許第５，０７７，８７０号及び第５，８４５，３７５号に記載されており、これらの明細書の教示は、この参照によって本明細書に組み込まれる。一部の実施形態では、フック５１４は高さ約０．１０〜１．２７ｍｍ又は高さ０．１８〜０．５１ｍｍで均一な高さを有し、裏装板１１２での密度が、１平方センチメートルあたり６０〜１，５５０個或いは１平方センチメートルあたり１２５〜６９０個となり、茎部直径がヘッド５１８近傍で０．０７６〜０．６３５ｍｍ或いは０．１２７〜０．３０５ｍｍとなり、ヘッド５１８が対応する茎部５１６の各側に平均で約０．０１３〜０．２５４ｍｍ或いは平均で約０．０２５〜０．１２７ｍｍ突出し、ヘッド５１８は（茎部５１６の軸と並行の方向に測定された）外面５２０及び内面５２２間の平均厚さが約０．０１３〜０．２５４ｍｍ或いは約０．０２５〜０．１２７ｍｍとなり、ヘッド５１８は平均ヘッド直径（ヘッド５１８と茎部５１６の軸を径方向に測定された）とヘッド厚さの比が１．５：１〜１２：１或いは２．５：１〜６：１となる。
【００８４】
一部の実施形態では、フック固定構造５１０はポリプロピレン又はポリプロピレンとポリエチレンの共重合体などのような重合体により一体的に形成される。実質的にいかなる種類の配向性の熱可塑性樹脂で代用することもでき、その例として、ポリ（エチレンテレフタレート）等のポリエステルや、ナイロン、ポリ（スチレン−アクリロニトリル）、ポリ（アクリロニトリル−ブタジエン−スチレン）等のポリアミドや、ポリプロピレン等のポリオレフィンや、可塑化ポリ塩化ビニルが挙げられる。
【００８５】
上述のマッシュルーム形状フックを内蔵するフック固定構造５１０の例示的形態の１つは、取引上の指定表記「３Ｍ（商標）ＣＨＫ０２８５４」が３Ｍ  Ｃｏｍｐａｎｙ（ミネソタ州Ｓｔ．Ｐａｕｌ）から入手可能である。フック固定構造５１０の別の非限定的な例として、取引上の指定表記「３Ｍ（商標）ＣＨＫ００７５２」及び「３Ｍ（商標）ＫＮ３４５７」が３Ｍ  Ｃｏｍｐａｎｙ（ミネソタ州Ｓｔ．Ｐａｕｌ）から入手可能である。
【００８６】
フック５１４（第１固定要素５００又は第２固定要素５０２（図１）にも使用可能）は、マッシュルーム形状（したがって、偏りがない）で、低背であると説明したが、その他形状及び／又は特性を有してもよい。フック５１４は、湾曲しているか（例えば、Ｊ字型のように）方向偏りを示してもよく、共通の茎部から延びる複数のヘッド又は突起を備えてもよく、その他特性を有してもよい。
【００８７】
取外可能固定システム３４（図１）が２部構造面ファスナー形態を含む実施形態によると、ループ部（例えば、取外可能固定構造５４（図１）又は相補的固定構造３６（図１））は図３０に示すものと類似した形態を想定可能である。特に、本開示で有用なループ固定構造又はループ複合体５３０は、不織ループ層５３２と、その下の裏装板層５３４とを備える。一部の実施形態では、裏装板層５３４は前面５３６及び後面５３８を有する熱可塑性フィルムである。不織ループ層５３２は、裏装板層５３４の接着箇所５４２に自己接着される固定部５４０を備える。接着箇所５４２は前面５３６に沿い、不織ループ層５３２の弓状部５４４が裏装板層５３４の接着箇所５４２間で前面５３６から突出している。接着箇所５４２はループ複合体５３０を横切って延びる連続的な列であってもよい。しかし、接着箇所５４２は例えば点線状、六角形、菱形、四角形、ランダムな結合点、パターン化された結合点、網目状の線、その他任意の規則的又は不規則な幾何学パターン等のいかなるパターンで配置されていてもよい。
【００８８】
ループ複合体５３０の任意の特徴は、例えば、米国特許第５，２５６，２３１号、第５，６１６，３９４号、及び第７，３０３，８０５号に記載されており、これらの明細書の教示は、この参照によって本明細書に組み込まれる。通常、不織ループ層５３２は１０〜１００ｇ／ｍ２或いは１５〜５０ｇ／ｍ２の坪量を有する。通常、裏装板層５３４は前面５３６に沿って測定して、１０〜１００ｇ／ｍ２或いは２０〜５０ｇ／ｍ２の範囲の坪量を有する。ループ複合体５３０全体として３０〜２００ｇ／ｍ２或いは４０〜１００ｇ／ｍ２の坪量を有する。
【００８９】
不織ループ層５３２は、少なくとも１０％接着可能な熱可塑性繊維或いは２０〜１００％接着可能な熱可塑性繊維のような、少なくとも部分的に接着に適した熱可塑性繊維を有する。弓状部５４４は、裏装板層５３４からの最大高さが略一定であり、３．０ｍｍ未満又は０〜１ｍｍである。接着箇所５４０間の距離は４ｍｍ〜１０００ｍｍ、或いは５ｍｍ〜５００ｍｍである。弓状部５４４は、概してループ複合体５１０全体の断面に対して２０〜９９％、或いは５０〜９５％を占める。
【００９０】
不織ループ層５３２の形成に適した繊維としては、繊維を形成すると知られている多様な熱可塑性ポリマーにより製造できる。適した熱可塑性ポリマーは、ポリオレフィン、ポリアミド、ポリエステル、アクリルモノマーを含む共重合体、その混合物及び共重合体から選択される。適したポリオレフィンの例として、鎖状低密度ポリエチレン、高密度ポリエチレン、低密度ポリエチレン、及び中密度ポリエチレン等のポリエチレンや、イソタクチックポリプロピレン、シンジオタクチックポリプロピレン、これらの混合物、イソタクチックポリプロピレンとアタクチックポリプロピレンとの混合物等のポリプロピレンや、ポリ（１−ブテン）、ポリ（２−ブテン）等のポリブチレンや、ポリ−４−メチルペンテン−１、ポリ（２−ペンテン）等のポリペンテンや、これらの混合物及び共重合体が挙げられる。適したポリアミドの例として、ナイロン６、ナイロン６／６、ナイロン１０、ナイロン４／６、ナイロン１０／１０、ナイロン１２、ナイロン６／１２、ナイロン１２／１２や、カプロラクタムの共重合体等の親水性ポリアミド共重合体や、エチレンオキシド等のアルキレンオキシドや、ヘキサメチレンアジパミドとアルキレンオキシドの共重合体や、これらの混合物及び共重合体が挙げられる。適したポリエステルの例として、ポリエチレンテレフタレート、ポリブチレンテレフタレート、ポリシクロヘキシレンジメチレンテレフタレート、及びこれらの混合物及び共重合体が挙げられる。アクリル系共重合体の例として、エチレンアクリル酸、エチレンメタクリル酸、エチレンアクリル酸メチル、エチレンアクリル酸エチル、エチレンアクリル酸ブチル、及びこれらの混合物が挙げられる。
【００９１】
上述の、低背ループ又は弓状部５４４を含むループ固定構造５３０の例示的一形態として、取引上の指定表記「３Ｍ（商標）ＫＮ５０５９  ＥＢＬ  Ｌｉｇｈｔ」が３Ｍ  Ｃｏｍｐａｎｙ（ミネソタ州Ｓｔ．Ｐａｕｌ）から入手可能である。
【００９２】
再び図１を参照に、上述の低背取外可能固定システム３４（例えば、フック固定構造５１０（図２９）及びループ固定構造５３０（図３０））が、本開示が想定する固定システムの数例を表す。別の実施形態では、２部固定システム３４の構成要素のうちの一方又は両方は、低背でなくてもよく、更に／或いはより高い保持力を誇ってもよい。例えば、３Ｍ（商標）Ｓｃｏｔｃｈｍａｔｅ（商標）ＳＪ３５０６後面接着フック材料及び３Ｍ（商標）Ｓｃｏｔｃｈｍａｔｅ（商標）ＳＪ３５０７後面接着ループ材料に使用される種類のフック及びループ材料を使用してもよいが、上述のパラメータ外の割裂強度となり得るため、本開示の一部の実施形態の使用には適さない可能性がある。面ファスナーシステムは、本開示の取外可能固定システムのとして有用な機械的連動コネクタシステムの一種類である。機械的連動とは、固定要素の少なくとも１つがマクロ的に変形（例えば、塑性変形）し、その結果複数の要素間で機械的界面が生じるようなファスナーを意味する。周知の例として、３Ｍ  Ｃｏｍｐａｎｙ（ミネソタ州Ｓｔ．Ｐａｕｌ）から取引上の指定表記「３Ｍ  Ｓｃｏｔｃｈｍａｔｅ」工業用ファスナーで一般に入手可能なフック及びループ製品や、取引上の指定表記「Ｖｅｌｃｒｏ」（登録商標）で一般に入手可能なフック及びループ製品が挙げられる。一部材の実質的平坦層から延びる要素が、別の実質的平坦層から延びる類似の又は非類似の対応又は協同要素に接合されるような、その他多数のコネクタシステム及びファスナーが知られている。そのような取外可能固定システムの協同層の間で必要な力及びその分離方法に基づき、相互係合要素の数多くの異なる変形例が設計されている。
【００９３】
別の実施形態では、取外可能固定システム３４は類似した相互噛合第１接続用要素及び第２接続用要素を（固定要素５００、５０２として）備える。第１接続用要素及び第２接続用要素は、それぞれ複製された（例えば、ミクロに複製された）面構造を備えてもよく、同一であってもよい。この種の取外し可能固定システムは、マクロ的変形及び干渉を要素間に生じさせないような接続用要素５００、５０２を形成する材料及び構造の摩擦特性に依存する。この種の相互噛合可能な接続用構造（類似及び非類似の接続用要素を含む）は、例えば、Ａｐｐｅｌｄｏｒｎによる米国特許第４，８７５，２５９号、Ａｐｐｅｌｄｏｒｎによる第５，３６０，２７０号、及びＲｏｕｓｅｒらによる第５，２０１，１０１号に記載されており、これらの明細書の開示は、この参照によって本明細書に組み込まれる。システムが離脱可能で、任意で再利用可能である限り、本開示の原則に従う取外可能固定システム３４とともに、別の機械的固定要素を使用してもよい。他の非限定的な例として、スナップ（プラスチック又は金属製）、取引上の指定表記「Ｚｉｐｌｏｋ」で一般に入手可能な封止物等の変形可能な封止システム、ピン及びソケットを備える変形可能な固定システム等が挙げられる。
【００９４】
本開示の原則に従う取外可能固定システム３４の更に想定された形態として、相補的固定要素５００、５０２として磁性材料を提供することを含む。一部の実施形態では、磁性材料は、従来から公知の、柔軟性磁性材料細長片である。
【００９５】
想定されるさらなる実施形態として、前記第１固定要素５００及び第２固定要素５０２の少なくとも一方が離脱及び再配置を可能とする弱接着部材を含んでもよい。固定要素５００、５０２のうちの他方は、そのような弱接着部材に対して容易に離脱及び再接続可能な部材を含んでもよい。或いは、構成要素５００、５０２の両方は、互いに適切に離脱できれば、同じ又は異なる弱接着部材を含んでよい。
【００９６】
上記取外可能固定システム３４の例として、本開示から想定される他の取外可能固定（又は接続）システムに加えて、例えば、Ｂｒｉｅｓらによる米国特許第６，９７２，１４１号に記載されており、これらの明細書の教示は、この参照によって本明細書に組み込まれる。
【００９７】
相補的固定構造３６
本開示のキット又はシステム３０で提供される相補的固定構造３６は、同一形状であってもよく、概してそれぞれ複数の第２固定要素５０２を担持する材料のパッチを備える。例えば、図３１はベース５５０と、第２固定要素５０２（概略的に図示する）と、感圧接着剤５５２とを有するような相補的固定構造３６の１つの一部を示す。上述のように、相補的固定構造３６は２部構造取外可能固定システム３４（図１）の一構成要素であり、第２固定要素５０２は全てフック又はループである。ベース５５０は、選択された形態の第２固定要素５０２を支持する。例えば、第２固定要素５０２が低背ループである一部の実施形態によると、ベース５５０及び第２固定要素５０２は、図３０のループ複合体５３０に対して、上述のあらゆる形態を想定可能である（例えば、図３１のベース５５０は裏装板層５３４（図３０）に類似する）。ベース５５０はその他の構造（例えば、フィルム）であってもよい。
【００９８】
感圧接着剤５５２は、ベース５５０の第２固定要素５０２の反対側の面に塗布される（例えば、コーティングされる）。感圧接着剤５５２は概して、アクリル、シリコーン、ゴム／樹脂等の利用可能な再剥離性接着剤の種類から選択された再剥離性接着剤である。取外可能固定システム３４（図１）を介して装飾アセンブリ３２（図１）を取り付けるための表面積の量により、感圧接着剤５５２は強い剪断強度特性を持つ必要がない。上述の取外可能固定システム３４の任意の低い保持力により、接着力をより低く設定可能となる（例えば、取外可能固定システム３４はユーザに固定要素５００、５０２を比較的小さい力をかけて引き離すことができるようにするため、感圧接着剤５５２は使用中に強い剪断力にさらされることがないのである）。例えば、感圧接着剤５５２の剪断強度は約０．０５ｌｂ／インチ以上であればよい。感圧接着剤５５２による接着力は、従来の室内壁から剥がれるのを防ぎつつ、当該壁を傷つけることなく、壁からの容易な取外しを可能とする程度のものである。一部の実施形態では、選択された感圧接着剤５５２は、約５〜４５ｏｚ／インチの範囲の接着力を誇る（ステンレス鋼上で測定）。
【００９９】
アクリル製接着剤は、低価格でありその接着能力（例えば、長期間（例えば、半年以上）が経過すると、容易に取外し可能となる）から、感圧接着剤５５２として有用となり得る。非限定的なアクリル製接着剤の種類としては、移動性を高めるための微小球を含むものが挙げられる。一部の実施形態では、感圧接着剤５５２は、３Ｍ  Ｃｏｍｐａｎｙ（３Ｍ  Ｃｏｍｍｅｒｃｉａｌ  Ｇｒａｐｈｉｃｓ  Ｄｉｖｉｓｉｏｎ）から取引上の指定表記「Ｔ−１５７８０」で入手可能な接着剤や、３Ｍ  Ｃｏｍｐａｎｙから取引上の指定表記「Ｒ−２２５９７」で入手可能な接着剤（３Ｍ（商標）Ｒｅｍｏｖａｂｌｅ  Ｐｏｓｔｅｒ  Ｔａｐｅ接着剤）であってもよい。或いは、より高い保持力を誇る接着剤を使用してもよい。
【０１００】
感圧接着剤５５２の形態にかかわらず、一部の実施形態では、キット３０内に提供される（したがって使用前の）相補的固定構造３６は感圧接着剤５５２上に配置された剥離ライナー５５４を備える。剥離ライナー５５４は任意の従来形態をとり得、接着剤５５２から容易に剥離可能な部材から形成される。
【０１０１】
相補的固定構造３６は多数の異なる形状及びサイズを有してもよい。一部の実施形態では、相補的固定構造３６は、幅約１〜６インチ、長さ約２〜６インチの平行四辺形（例えば、長方形又は正方形）であってもよい。
【０１０２】
装飾アセンブリ３２の壁面への直接的取付け
再び図１を参照に、本開示の一部の実施形態の壁装飾キットはスペーサアセンブリ３８を有さない。或いは、キットが１つ以上のスペーサアセンブリ３８を備えていても、ユーザはそのスペーサアセンブリ３８を使用しないと判断してもよい。いずれの場合でも、提供された１つ以上の装飾アセンブリ３２を１つ（又は複数）の相補的固定構造３６との直接係合により壁面に取り付けることができる。例えば、図３２Ａは壁面１７０を概略的に示す。装飾アセンブリ３２を取り付ける前に、ユーザは大抵取り付けられる装飾アセンブリ３２（例えば、図１の装飾アセンブリ３２又は本開示の任意のその他実施形態の装飾アセンブリ）の希望の位置をある程度想像するものだが、その位置５６０を図３２Ａに概略的に示す。相補的固定構造３６はその後、図３２Ｂに示すように第２固定要素５０２が露出するように、対応する感圧接着剤５５２（視認不能）を介して希望位置５６０の領域で壁面１７０に貼り付けられる。本開示の例示的システム、キット、及び方法によると、ユーザは正確な測定をする必要がなく、相補的固定構造３６を丁寧に希望位置５６０に位置付ける必要がなく、更に相補的固定構造３６を特定の向きに空間的に配置する必要がない。
【０１０３】
選択された装飾アセンブリ３２はその後、図３２Ｃ及び図３２Ｄに概略的に示すように、装飾アセンブリ３２に担持された第１固定要素５００を相補的固定構造３６の第２固定要素５０２に係合させることで、相補的固定構造３６に取り付けられる。ユーザが壁面１７０に対する装飾アセンブリ３２の位置及び／又は装飾アセンブリ３２の向きに不満があれば、装飾アセンブリ３２は単純に相補的固定構造３６から取り外され、所望の通りに再配置される。このことから、取外可能固定システム３４と相補的固定構造３６で提供される感圧接着剤５５２（図３１）は、（装飾アセンブリ３２を壁面１７０から離間する方向に動かそうとするユーザによりかけられた）引張力及び／又は割裂力に応じて、相補的固定構造３６が壁面１７０に接着されたままで、固定要素５００、５０２が互いに引き離されるように、一対のものとして構成される。言い換えると、接着剤５５２による壁面１７０に対する保持強度は、取外可能固定システム３４による割裂強度及び引張強度を上回る。
【０１０４】
図３２Ｅ及び図３２Ｆは、装飾アセンブリ３２の２つの可能な再配置を示す。図３２Ｅの再配置によると、一部の実施形態では装飾アセンブリ３２の表面積の大部分が第１固定要素５００（図１）で覆われ、相補的固定構造３６に十分係合したまま、装飾アセンブリ３２を相補的固定構造３６に対して（したがって壁面１７０に対して）妥当な距離移動が可能である。図３２Ｆの再配置によると、面ファスナーシステム３４（図１）の「偏りのない」形態から、相補的固定構造３６と十分に係合しながら、装飾アセンブリ３２はユーザ所望の任意の向きに空間的に回転可能である。従来の、物体（例えば絵画）が壁に対してわずかにしか移動（例えば、約１インチ）できず、多くの場合１５度よりも回転することができないようなパッケージ化された面ファスナーシステムに可能な非常に限定的な再配置（細長片に関連付けられた比較的小さいサイズ又は表面積、方向偏り、又はその両者により構造的に限定されてしまう）に対し、本開示の壁装飾システム及び方法によると、ユーザは貼り付けられた相補的固定構造３２を「露出」することなく装飾アセンブリ３２を相補的固定構造３６に対して大幅に移動でき（例えば、装飾アセンブリ３２の対応する寸法の少なくとも約二分の一に当たる距離）、更に／それに代えて装飾アセンブリ３２を望むだけ回転できる。したがって、本開示の壁装飾システム及び方法は経験の乏しいユーザにとって非常に便利である。ユーザは相補的固定構造３６を貼り付けるおおよその領域を概略的に推定し、その後所望の通りに空間的に配置されるまで、必要な分だけ相補的固定構造３６に対して装飾アセンブリ３２を繰り返し（単純に）再配置すればよい。
【０１０５】
ユーザの希望する再配置として、装飾アセンブリ３２を妥当な距離動かすこともあれば、ユーザが装飾アセンブリ３２を完全に取り外すことを希望する場合もある。いずれの場合でも、ユーザは単純に装飾アセンブリ３２を相補的固定構造３６から取外し、壁面１７０を傷つけずに壁面１７０から取り外される（例えば、剥がされる）ように（例えば、選択された接着剤５５２（図３１）により）構成された相補的固定構造３６を壁面１７０から剥がす。相補的固定構造３６は、壁面１７０の別の領域に貼り直されたり、後の使用のために置いておいたり、破棄されてもよい。
【０１０６】
装飾アセンブリ３２を壁面１７０に取り付ける別の技術は、１つ（又は複数）の相補的固定構造３６を選択された装飾アセンブリ３２に最初に係合することを含む。組み合わされた装飾アセンブリ３２／相補的固定構造３６が壁面１７０の希望位置１６２の概略的領域に感圧接着剤５５２（図３１）を介して取り付けられる。ここでも、ユーザが壁面１７０に対する装飾アセンブリ３２の位置及び／又は装飾アセンブリ３２の向きに不満があれば、装飾アセンブリ３２は相補的固定構造３６から取り外され、上述のように所望の通りに相補的固定構造３６に再係合される。
【０１０７】
本開示の壁装飾キット及びシステムによると、壁面１７０の表面積の大部分を迅速且つ容易に装飾でき、所望通りに装飾し直すことができる。例えば、キット３０（図１）が非常に視覚的印象の強い装飾要素５０（図２Ａ）を持つ装飾アセンブリ３２を備える場合、貼り付けられている相補的固定構造３６を介してユーザは貼り付けられた装飾アセンブリ３２を、キット３０の別の装飾要素５０を持つ別の装飾アセンブリ３２と交換すればよい。同様に、時間が経った後にユーザが取り付けられている装飾アセンブリ３２のものとは異なる装飾テーマを実現することを望む場合、貼り付けられている相補的固定構造３６を使用してその装飾アセンブリ３２を「新しい」装飾アセンブリ３２と交換してもよい。同様に、一連の装飾アセンブリ３２を壁面１７０に貼り付け、所望の通りに再配置又は交換（個別に又は全体的に）してもよい。
【０１０８】
別の装飾アセンブリの壁面への直接的な取付け
装飾アセンブリ３２Ｂ（図５）、３２Ｃ（図９）、３２Ｄ（図１５Ａ）、３２Ｅ（図１７Ａ）、３２Ｆ（図１８）、３２Ｇ（図２５Ａ）、図３２Ｈ（図２８Ａ）（及び後述の別の装飾アセンブリ）の壁面１７０への直接的な取付けは、上述のものと類似した方法で実現でき、一部の実施形態のものは少なくとも部分的に上述されている。装飾アセンブリ３２Ｂを更に説明するが、一実施形態では、図３３Ａに示すように相補的固定構造３６（図１）を介して所望の位置で壁面１７０にベース７８が取り付けられる（例えば、相補的固定構造３６をあらかじめ壁面１７０に貼り付けておくか、相補的固定構造３６を最初にベース７８に取り付け、ベース７８／相補的固定構造３６をまとめて壁面１７０に取り付けてもよい）。図３３Ｂに示すように、裏装体７６がベース７８に取り付けられる。参照として、裏装体７６は概略的に図３３Ｂに示され、装飾要素５０を担持又は形成している。図３３Ｃに概略的に示すように、脚部８４が対応する穴９４に挿入されることで、裏装体７６がベース７８に対して容易に中心配置関係となるよう導かれる。脚部８４／穴９４接続が裏装体７６の角に隣接して実現される実施形態によると、裏装体７６（したがって担持された装飾要素５０）はベース７８と実質的面一に保持される。所望に応じて、ベース７８（裏装体７６を備える又は備えない）を上述のように壁面１７０に対して再配置できる。
【０１０９】
このように設けられた装飾要素５０を異なる形態の装飾要素５０と交換することを望むユーザは、図３３Ｄに示すように、取り付けられた裏装体７６をベース７８から単純に分離する。例えば、ユーザは裏装体７６の互いに反対側の端を把持し、裏装体７６を壁面１７０と実質的に直行する方向に、ベース７８から引き離してもよい。或いは、又は更に、裏装体７６を部分的又は完全に分離するため、ベース７８に対して枢動させてもよい。言い換えると、選択された取外可能固定システム３４（図１）の引張強度及び／又は割裂強度は、裏装体７６とベース７８の組み合わせ間に生じるものよりも大きく、更に相補的固定構造３６（即ち接着剤５５２（図３１））と壁面１７０との間に生じる保持強度又は保持力は、裏装体７６とベース７８の間の総引張強度及び割裂強度よりも大きい。いずれの場合でも、ベース７８は壁面１７０に取り付けられたままとなる。裏装体７６は、ベース７８に対し回転、再接続可能で、或いは上述のように異なる装飾要素５０を担持又は形成している新しい裏装体７６をベース７８に取り付けてもよい。壁面１７０への取付けの際、ベース７８は常に取付面となり、裏装体７６／装飾要素５０が交換される際に、「新しい」裏装体７６が壁面１７０に対して同一の位置に同じ向きで配置される。したがって、ユーザがベース７８の空間的位置及び向きに満足すると、装飾交換が簡易且つ確実に完了する。
【０１１０】
保持強度関係
上述の説明に示すように、本開示の壁装飾システム、キット、及び方法は、様々な取外し可能な取付けと、取付特性を一意に複数の構成要素と結合領域に関連付ける。相補的固定構造３６及び特に相補的固定構造３６とともに使用される接着剤５５２（図３１）は、装飾アセンブリ３２（例えば、本開示の任意の実施形態の装飾アセンブリ）と、装飾アセンブリとともに使用される任意のスペーサアセンブリとを、相補的固定構造３６の取外しが望まれる場合にも壁面１７０を傷つけないように、壁面１７０に対して保持する。更に、相補的固定構造３６は、（例えば、ユーザが相補的固定構造３６から装飾アセンブリ３２を取り外そうとする際）装飾アセンブリ３２に牽引（又は引張）及び割裂力がかけられても、壁面１７０との係合を維持する。取外可能固定システム３４は、第１固定要素５００及び第２固定要素５０２との間の全配向又は方向で、壁面１７０に取り付けられた装飾アセンブリ３２を（相補的固定構造３６による接着剤取付けにより）を保持するように構成される。言い換えると、取外可能固定システム３４は、相補的固定構造３６（したがって担持された第２固定要素５０２）に対するパネル又はパネルアセンブリ５２（図２Ａ）（又は第１固定要素５００を担持する別の装飾アセンブリ構成要素）の全配向で十分な剪断強度を発揮する。更に、取外可能固定システム３４により実現された引張及び割裂強度と、上述の相補的固定構造３６の保持（例えば接着）強度は相互関連する（即ち、引張及び／又は割裂力がかかると、固定要素５００、５０２は対応固定構造３６が壁面１７０から剥がれることなく分離する）。
【０１１１】
上述のことを念頭に、一部の実施形態では、相補的固定構造３６（具体的には接着剤５５２（図３１））と対構造となる取外可能固定システム３４の構造は表１、２に示すパラメータを有する。
【０１１２】
【表１】
2016527922.tif 000003
【０１１３】
【表２】
2016527922.tif 000004
【０１１４】
本開示に係る、取外可能固定システム及び相補的固定構造のサンプルを以下の試験方法に従って、上述のパラメータそれぞれについて試験してもよい。
【０１１５】
割裂強度試験
本試験は、１インチ±１／１６（２５．４ｍｍ±１．６ｍｍ）×２．２５インチ±１／１６（５７．２ｍｍ±１．６ｍｍ）寸法の取付面片に取り付けられた、１インチ±１／１６（２５．４ｍｍ±１．６ｍｍ）×２．２５インチ±１／１６（５７．２ｍｍ±１．６ｍｍ）寸法の接合パッチの動的割裂力に対する割裂強度を判定するものである。２つの清潔な裸アルミ板が要される。明確性のため、図３４Ａ及び図３４Ｂにアルミニウム試験板の構成を示す。両板は、２インチ（参照符号Ｍで示す）×３インチで、直径１／４インチで、板の幅２インチの中心に配置され、中心線から板端に向かって３／８インチ（参照符号Ｏで示す）に配置された単一の穴（参照符号Ｎで示す）と、板の端から９／１６インチ（参照符号Ｑで示す）位置に４５度（参照符号Ｐで示す）屈曲部を備える。
【０１１６】
接合パッチは、１つのアルミニウム試験板に貼り付けられ、取付面サンプルは別のアルミニウム試験板に貼り付けられる。接合パッチと面サンプルの両方は、端を各試験板の屈曲していない縁に合わせられ、試験板の幅２インチの中心に置かれ、屈曲部に向けて前方に延びている（参照符号Ｒで示す）ものとする。接地面試料は、接合パッチに重なり、各板の傾斜部が同じ端に来て試験試料が形成されるように、各板は、鏡合わせで重なった構成で載置されるべきである。接合パッチと、取付面サンプルは、互いに慎重に重ねて整合し、接合パッチを取付面サンプルにより強い指圧で押すことで係合される。取付面のフックと同一のフックを接合パッチが備える場合、可聴クリック音が聞こえ得る。その他すべてのフック及びループの組み合わせについて、１）まず、指圧で試料を軽く係合させ、ループ試料付きの板を各方向に約２０度捩じってループをより深く係合させる。２）試料を、平らで剛質な面の端に設置し、底板の傾斜端が上を向いたようにし、試料の残りの部分を平らに寝かせる。８ｌｂの鋼鉄棒を、試料の係合部分全体で偏りないように上板に乗せる。３）４．５ｌｂの重りを、各方向に３度鋼鉄棒を２インチ間隔で転がす。ローラーの重量により板が揺れて固定部が外れないように、棒の一端が支持される。
【０１１７】
フックを試験板の１つの穴に滑り込ませ、フックを２２５ｌｂのロードセルを持つ引張テスター（Ｉｎｓｔｒｏｎ  Ｃｏｒｐｏｒａｔｉｏｎ（マサチューセッツ州Ｃａｎｔｏｎ）製のＩＮＳＴＲＯＮ（商標）Ｍｏｄｅｌ  ５５４４など）の下方固定顎内に挟持する。試験中に、試験板がフック回りに回動自在となるよう、十分な間隔をあけるべきである。試験試料をほぼ水平、顎の挟持面に対して垂直に保持しながら、別のフックを残りの上方板の穴に通す。第２フックは、引張テスターの可動顎に挟持される。外部支持が外れた際に試料を略水平位置に保つように、十分に予め引張されるべきである。引張テスターは、クロスヘッド速度毎分１２インチ（３０．５センチメートル）で係合される。記録される割裂強度は、接合パッチを取付面片から取り外す為にかける最大動的力で示される。
【０１１８】
引張強度試験
試験室状態：７３．４±３．６°Ｆ（２３±２℃）、５０％±５％  Ｒ．Ｈ．全サンプルを、試験の少なくとも２４時間前に、試験室の状態に合わせた。１平方インチの表面積のＴブロックを使用した。フック及びループの試験サンプルは、１平方インチに切られ、それぞれ感圧接着剤で２つのＴブロックに貼り付けられた。フックとループが接着剤で貼り付けられたＴブロックは、軽く接合され、一方他方に約２０度捻られた。その後、ブロックに５秒間１６３０グラム（３．６ｌｂｓ）がかけられた。接合されたＴブロックサンプルの把持部分は、２２５ｌｂのロードセルを持つ引張テスターＩｎｓｔｒｏｎ  Ｍｏｄｅｌ  ５５４４の上下顎部の間に挿入された。引張モードで、サンプルは毎分１２インチの速度で引かれた。記録された引張強度は、引張モードで分離が生じる、サンプルにかかる最大力で示される。
【０１１９】
動的剪断強度試験
ＡＳＴＭ  Ｄ５１６９−９８（再承認２０１０）で使用された試験方法は、１０ｌｂのローラーを掲載された１１ｌｂローラーの代わりに使用することを除いて「面ファスナー剪断強度の標準試験（動的方法）」である。
【０１２０】
剥離力試験
剥離力と剥離離脱は、７３．４±３．６°Ｆ（２３±２℃）及び相対湿度５０％±５％で実行された。試験サンプルは、試験前少なくとも２４時間、試験室で調整された。ＡＳＴＭ  Ａ−６６６に応じて、試験サンプルはステンレス鋼パネル（タイプ３０２又は３０４）に、最初にパネルを試験される接着剤の種類に適して溶液で洗浄されて、試験サンプルが載置された。試験サンプルがパネルに載置されると、手動４．５ｌｂ（２ｋｇ）ローラーを、毎分約１２インチで各方向に一度（合計２回）転がした。その直後に、２５ｌｂのロードセルによるＩｍａｓｓ  Ｍｏｄｅｌ  ＳＰ−２０００テスターで試験サンプルの剥離粘着力を試験する。記録される剥離力又は剥離離脱強度は、試験期間５秒のパネルに対する平均粘着力で示される。
【０１２１】
１８０度剥離力試験が、毎分１２インチの剥離速度で実行された。
【０１２２】
９０度剥離力試験が毎分１２インチの剥離速度で実行された。
【０１２３】
剥離離脱強度試験は、剥離角度１８０度、剥離速度毎分９０インチで実行された。
【０１２４】
静的剪断強度試験
７３．４±３．６°Ｆ（２３±２℃）及び相対湿度５０％±５％で静的剪断強度が評価された。試験サンプルは、試験前少なくとも２４時間、試験室で調整された。静的剪断強度は、ガラスを試験パネルに使用して評価した。試験サンプルは、軽い親指圧力でガラスパネルに貼り付けられ、その後手動４．５ｌｂローラーを各方向に２回（計４回）に転がした。一時間の滞留時間後、ガラス上の試験サンプルの静的剪断強度を５００グラムの重りを試験サンプルからつりさげて評価した。記録された静的剪断強度は、故障が生じるまで（即ち、ガラスパネルから試験サンプルが落ちるまで）の分刻みの時間で示される。
【０１２５】
任意の整合クリップ
ユーザの装飾アセンブリ３２の設置を補助するため、本開示の一部の実施形態は任意の整合クリップを備える。装飾アセンブリ３２Ｂ（図５）とともに使用して有用な一実施形態の整合クリップ６００が図３５に示され、ヘッド６０２と、互いに反対側の指部６０４ａ、６０４ｂと、任意の水準器６０６とを備える。ヘッド６０２は、装飾アセンブリ３２Ｂのベース７８（図５）に設けられる穴９４（図５）の幾何学的配置に合わせたサイズと形状を有し、一方指部６０４ａ、６０４ｂは対応する穴９４に選択的に嵌るように構成される。一部の実施形態では、磁石構造（概略的に６０８で示す）が指部６０４ａ、６０４ｂのそれぞれに関連付けられてもよく、上述の穴９４を持つ磁石構造も含むベース７８の実施形態で有用である。水準器６０６は、従来技術で公知の種類であってもよく、水平方向に対するヘッド６０２の空間的配置を視覚的に示す。水準器６０６は指把持部材６１０の一部として設けられてもよい。
【０１２６】
図３６Ａ及び図３６Ｂは、２つのベース７８ａ、７８ｂを一意又は整合的に相互結合している、実現可能な整合クリップ６００を示す。第１指部６０４ａは、第１ベース７８ａの穴９４（概略的に示される）内に嵌り、第２指部６０４ｂは、第２ベース７８ｂの穴９４に嵌る。磁石構造６０８（図３５）は、整合クリップ６００とベース７８ａ、７８ｂの間の磁力「係止」成立を補助する。図３６Ａに最もよく示すように、整合クリップ６００は任意で、互いに反対側のポスト６２０ａ、６２０ｂを備え、壁９５がポスト６２０ａ、６２０ｂ間に嵌るように、ポスト６２０ａ、６２０ｂはベース７８ａ、７８ｂの外周壁９５の把握された厚さに応じたサイズと形状を有する。いずれの場合も、整合クリップ６００はベース７８ａ、７８ｂを互いに整合させる。更に、相互結合されたベース７８ａ、７８ｂを壁面に対してまとめて配置すると、水準器６０６が水平方向に対するアセンブリ７８ａ、７８ｂの水平度をユーザに視覚的に示す。
【０１２７】
図３６Ｃに示すように、整合クリップ６００は更に、ユーザが単一のベース７８を水平方向に対して所望の通りに揃える際に有用である。図示の通り、整合クリップ６００は穴９４（概略的に示す）の２つに取り付けられている。ベース７８が壁面に対して概略的に配置されると、水準器６００（概略的に示す）がベース７８の形状が水平配置にどれほど近いかを視覚的に示す。
【０１２８】
整合クリップ６００の使用方法に関わらず、ユーザが壁面に対する（１つまたは複数の）ベース７８の空間的配置に満足すると、（１つまたは複数の）ベース７８は上述のように、対応する（１つまたは複数の）相補的固定構造３６を介して、壁面に選択された向きで取り付けられる。取付け後、（１つまたは複数の）ベース７８が（１つまたは複数の）相補的固定構造３６により選択された向きに保持されるため、整合クリップ６００を取外してもよい。
【０１２９】
任意の照明
上述のように、本開示の装飾アセンブリは、任意で例えば照明のような全体的な外観を見やすくする追加構成要素を備える。これを念頭に、本開示の原則に従う別の実施形態の装飾アセンブリ３２Ｉは図３７Ａ及び図３７Ｂに示され、装飾設備７００と、上述の取付ポッド又はベース２０２の形態をとり得る壁取付構成要素を備える（及び取外可能固定構造５４（不図示）を担持する）。装飾設備７００は様々な形態をとり得、一部の実施形態では電池型照明設備７０２（概略的に示す）と裏装体７０４（図３７Ｂに最もよく示す）とを備える。裏装体７０４は照明設備７０２に対して一体的に形成されるか、永久的に組み付けられてもよく、さもなければ図で視認可能な照明設備７０２の内部構成要素（例えば、充電池、照明要素（例えば、ＬＥＤ）、電線、オン／オフスイッチなど）を囲う又は被覆する。更に、裏装体７０４は上述の裏装体中央部分２１２（図１５Ａ及び図１５Ｂ）に非常に類似してもよい中央部分７０６を備える。したがって、中央部分７０６は取付ポッド２０２内に入れ子状になるよう構成され、装飾設備７００が取付ポッド２０２に取外し可能に取り付けられるよう、取付ポッド２０２の対応する構成要素と接する様々な特徴的要素（例えば、磁石（不図示））を内蔵する。
【０１３０】
照明設備７０２は、照明要素（不図示）の動作状態をユーザが制御可能にする様々な電子部品を内蔵してもよい。例えば、照明設備７０２は遠隔地のユーザが照明要素を消したり付けたりできるようにする遠隔制御特性を有してもよい。照明設備７０２は、任意で照明要素に電力供給するため定期的に充電されるコンデンサを備える。照明設備７０２に設けられたオン／オフスイッチは、様々な形態をとり得、「プッシュ型」オン／オフ構造を含んでもよい。
【０１３１】
装飾設備７００は、上述の任意の方法で取付ポッド２０２に取外し可能に取り付けてもよい。一部の実施形態では、装飾アセンブリ３２Ｉは、更に図３８Ａ及び図３８Ｂに（簡略的に）示す充電ドック７１０を更に備えるシステムの一部として設けられる。充電ドック７１０は、取付ポッド２０２（図３７Ａ及び図３７Ｂ）と類似したサイズ及び形状を有し、照明設備中央部分７０６（図３７Ｂ）を選択的に受けるように構成される。更に、充電ドック７１０は、標準的な家庭用コンセントへの電気的接続と装飾設備７００の再充電をするように構成される。本技術で周知のとおり、充電ドック７１０は必要な電気コネクタ（不図示）を備えることで、装飾設備７００が充電ドック７１０に（図３７Ｂのように）取付られると、照明設備電池が再充電される。
【０１３２】
本開示は、装飾設備７００を壁面にも取り付けられる取付ポッド２０２（図３７Ａ）に取り付けること以外の、照明設備７０２のその他表示形態を想定する。例えば、図３９Ａは卓上電気スタンド７２０の一部として提供される取付ポッド２０２を示す。卓上電気スタンド７２０は直接的に示されてもされなくてもよい多様な形態をとり得る。取付ポッド２０２は、卓上電気スタンド７２０に対して一体形成された構成要素であってもよく、或いは別体として設けられその後組み付けられるものであってもよい。いずれも場合でも、図３９Ｂ及び図３９Ｃに示すように、装飾設備７００は、上述のように照明設備中央部分７０６と取付ポッド２０２の間の接合部分を介して卓上電気スタンド７２０に取外し可能に結合されてもよい。
【０１３３】
本開示が想定する直立電気スタンド７３０は、図４０Ａに示され、取付ポッド２０２を備える、又は形成している。直立電気スタンド７３０は直接的に示されてもされなくてもよい様々な形態をとり得る。取付ポッド２０２は、直立電気スタンド７３０に対して、一体形成された構成要素であってもよく、或いは別体として設けられその後組み付けられるものであってもよい。いずれの場合も、図４０Ｂ及び図４０Ｃに示すように、上述の通り装飾設備７００は照明設備中央部分（視認不能）と取付ポッド２０２の間の接合部分を介して直立電気スタンド７３０に取外し可能に結合可能である。
【０１３４】
上述の通り、取付ポッド２０２を備える実施形態は、多数の異なる装飾効果（照明を含む）を、対象となる室内でユーザにより実現可能とする。図４１は、本開示の一部の実施形態により可能な部屋の装飾の一例を示す。部屋の照明ともなる装飾設備７００とともに、取付ポッド（視認不能）を使用して異なる装飾要素５０が部屋の壁に取外し可能に取り付けられる。更に卓上電気スタンド７２０及び直立電気スタンド７３０に担持された装飾設備７００によりさらなる照明が提供される。
【０１３５】
本開示の壁装飾システム、キット、及び方法は、従来の設計に対して著しい進歩をもたらす。柔軟な取付システムは、多数の貼付けが簡単な装飾要素を壁に取り付け、多数の装飾要素を簡単に移動及び／又は変更可能とし、最後に、耐用年数が切れた場合には壁に傷をつけずに壁から簡単に取外し可能となるように設けられる。一部の実施形態では、本開示のシステム、キット及び方法は、更に任意で三次元的視覚効果を醸成するよう、壁に対して装飾要素を異なる奥行きで取付け可能とする。
【０１３６】
好ましい実施形態を参照しながら本開示を説明してきたが、本開示の趣旨及び範囲から逸脱しない範囲で形態及び細部の変更を行えることは、当業者であれば理解できるであろう。
【図１】
2016527922.tif 000005
【図２Ａ】
2016527922.tif 000006
【図２Ｂ】
2016527922.tif 000007
【図３Ａ】
2016527922.tif 000008
【図３Ｂ】
2016527922.tif 000009
【図４】
2016527922.tif 000010
【図５】
2016527922.tif 000011
【図６Ａ】
2016527922.tif 000012
【図６Ｂ】
2016527922.tif 000013
【図６Ｃ】
2016527922.tif 000014
【図７Ａ】
2016527922.tif 000015
【図７Ｂ】
2016527922.tif 000016
【図７Ｃ】
2016527922.tif 000017
【図８Ａ】
2016527922.tif 000018
【図８Ｂ】
2016527922.tif 000019
【図８Ｃ】
2016527922.tif 000020
【図８Ｄ】
2016527922.tif 000021
【図９】
2016527922.tif 000022
【図１０Ａ】
2016527922.tif 000023
【図１０Ｂ】
2016527922.tif 000024
【図１０Ｃ】
2016527922.tif 000025
【図１０Ｄ】
2016527922.tif 000026
【図１１Ａ】
2016527922.tif 000027
【図１１Ｂ】
2016527922.tif 000028
【図１１Ｃ】
2016527922.tif 000029
【図１２Ａ】
2016527922.tif 000030
【図１２Ｂ】
2016527922.tif 000031
【図１２Ｃ】
2016527922.tif 000032
【図１３】
2016527922.tif 000033
【図１４】
2016527922.tif 000034
【図１５Ａ】
2016527922.tif 000035
【図１５Ｂ】
2016527922.tif 000036
【図１６Ａ】
2016527922.tif 000037
【図１６Ｂ】
2016527922.tif 000038
【図１７Ａ】
2016527922.tif 000039
【図１７Ｂ】
2016527922.tif 000040
【図１８】
2016527922.tif 000041
【図１９Ａ】
2016527922.tif 000042
【図１９Ｂ】
2016527922.tif 000043
【図２０】
2016527922.tif 000044
【図２１】
2016527922.tif 000045
【図２２】
2016527922.tif 000046
【図２３】
2016527922.tif 000047
【図２４Ａ】
2016527922.tif 000048
【図２４Ｂ】
2016527922.tif 000049
【図２５Ａ】
2016527922.tif 000050
【図２５Ｂ】
2016527922.tif 000051
【図２６】
2016527922.tif 000052
【図２７Ａ】
2016527922.tif 000053
【図２７Ｂ】
2016527922.tif 000054
【図２７Ｃ】
2016527922.tif 000055
【図２８Ａ】
2016527922.tif 000056
【図２８Ｂ】
2016527922.tif 000057
【図２９】
2016527922.tif 000058
【図３０】
2016527922.tif 000059
【図３１】
2016527922.tif 000060
【図３２Ａ】
2016527922.tif 000061
【図３２Ｂ】
2016527922.tif 000062
【図３２Ｃ】
2016527922.tif 000063
【図３２Ｄ】
2016527922.tif 000064
【図３２Ｅ】
2016527922.tif 000065
【図３２Ｆ】
2016527922.tif 000066
【図３３Ａ】
2016527922.tif 000067
【図３３Ｂ】
2016527922.tif 000068
【図３３Ｃ】
2016527922.tif 000069
【図３３Ｄ】
2016527922.tif 000070
【図３４Ａ】
2016527922.tif 000071
【図３４Ｂ】
2016527922.tif 000072
【図３５】
2016527922.tif 000073
【図３６Ａ】
2016527922.tif 000074
【図３６Ｂ】
2016527922.tif 000075
【図３６Ｃ】
2016527922.tif 000076
【図３７Ａ】
2016527922.tif 000077
【図３７Ｂ】
2016527922.tif 000078
【図３８Ａ】
2016527922.tif 000079
【図３８Ｂ】
2016527922.tif 000080
【図３９Ａ】
2016527922.tif 000081
【図３９Ｂ】
2016527922.tif 000082
【図３９Ｃ】
2016527922.tif 000083
【図４０Ａ】
2016527922.tif 000084
【図４０Ｂ】
2016527922.tif 000085
【図４０Ｃ】
2016527922.tif 000086
【図４１】
2016527922.tif 000087
【手続補正書】
【提出日】平成28年1月6日(2016.1.6)
【手続補正１】
【補正対象書類名】特許請求の範囲
【補正対象項目名】全文
【補正方法】変更
【補正の内容】
【特許請求の範囲】
【請求項１】
壁面を装飾するシステムであって、
複数の第１固定要素を提供する取外可能固定構造とは反対側の装飾要素、前記装飾要素を保持する裏装体、及び前記取外可能固定構造を保持するベースを有し、前記裏装体が、前記ベースに取外し可能に取り付けられている、装飾アセンブリと、
複数の第２固定要素とは反対側の感圧接着剤を有する相補的固定構造と、を備え、
取外可能固定システムを形成するように、前記第１固定要素は前記第２固定要素に取外し可能に接合可能であり、
更に前記システムは、壁面に対する前記感圧接着剤による割裂強度が前記取外可能固定システムによる割裂強度よりも大きく、前記取外可能固定システムの全方向の動的剪断強度が少なくとも１０ｌｂｓであるように構成される、システム。
【請求項２】
前記裏装体及び前記ベースのうちの一方が少なくとも１つの脚部を形成しており、前記裏装体及び前記ベースのうちの他方が前記脚部を受け入れるように構成される少なくとも１つの穴を形成している、請求項１に記載のシステム。
【請求項３】
前記装飾アセンブリは、前記裏装体を前記ベースに対して取外し可能に接続する取外可能接続アセンブリを更に備え、更に前記取外可能接続アセンブリの割裂強度は、前記取外可能固定システムの割裂強度よりも小さく、前記取外可能接続アセンブリの引張強度は、前記取外可能固定システムの引張強度よりも小さい、請求項１に記載のシステム。
【請求項４】
前記取外可能接続アセンブリは、磁石を含む、請求項３に記載のシステム。
【請求項５】
前記ベースは、前側と、後側と、前記前側に対する窪みとして形成される中央取付領域とを形成し、更に前記中央取付領域は、前記裏装体の外側フレームを受け入れるように構成される、請求項１に記載のシステム。
【請求項６】
前記装飾アセンブリは、前記ベースに対して取外し可能に取り付けられるように構成されるスペーサアセンブリを更に有する、請求項１に記載のシステム。
【請求項７】
前記スペーサアセンブリは更に、前記裏装体に対して取外し可能に取り付けられるように構成される、請求項６に記載のシステム。
【請求項８】
前記第１固定要素及び前記第２固定要素のうちの一方は、裏装板から突出する茎部と、前記茎部のうち前記裏装板とは反対側の端にある円形ヘッドとを有するマッシュルーム形状である、請求項１に記載のシステム。
【国際調査報告】
2016527922.tif 000088
2016527922.tif 000089